(57)【要約】      （修正有）【課題】非ラインセンス周波数における通信を無線端末に許可するか否かを無線局において判定する為に有用な情報を取得することに寄与する。【解決手段】無線局は、非ライセンス周波数の第二のセルにおけるディスカバリ信号測定に関連付けられた制御情報を含むMeasurement configurationを、ライセンス周波数の第一のセルにおいて無線端末に送信する（Ｓ１０２）。制御情報は、ディスカバリ信号測定が実行される第１の期間が発生する周期性を示す情報と、当該第１の期間が開始するサブフレーム番号及びシステムフレーム番号（SFN）を示すためのオフセット値とを含む。第１の期間は、前記非ライセンス周波数の割り当てが可能な期間である。無線局は、第１の期間の中で実行された前記ディスカバリ信号測定の結果を、第一のセルにおいて無線端末から受信する（Ｓ１０５）。【選択図】図３
2020043581.tif 000002
【特許請求の範囲】
【請求項１】
ライセンス周波数の第一のセルおよび非ライセンス周波数の第二のセルを運用する無線通信手段と、
前記第二のセルにおけるディスカバリ信号測定に関連付けられた制御情報を含むMeasurement configurationを、前記第一のセルにおいて無線端末に送信する制御手段と、
を備え、
前記制御情報は、前記ディスカバリ信号測定が実行される第１の期間が発生する周期性を示す情報と、前記第１の期間が開始するサブフレーム番号及びシステムフレーム番号（SFN）を示すためのオフセット値とを含み、
前記制御手段は、前記オフセット値によって示される前記サブフレーム番号及び前記SFNで開始され且つ前記周期性で周期的に発生する前記第１の期間の中で実行された前記ディスカバリ信号測定の結果を、前記第一のセルにおいて前記無線端末から受信し、
前記第１の期間は、前記非ライセンス周波数の割り当てが可能な期間である、無線局。
【請求項２】
前記制御情報は、Unlicensed Radio Network Temporary Identifier (U-RNTI)によってスクランブルされたCyclic Redundancy Check (CRC)パートを包含するPhysical Downlink Control Channelを含む、請求項１に記載の無線局。
【請求項３】
前記U-RNTIは、前記ライセンス周波数において無線接続状態であり且つ前記非ライセンス周波数で通信する能力を有する複数の無線端末に対して共通の値が前記無線局により設定される、請求項２に記載の無線局。
【請求項４】
前記制御情報は、前記第一のセルにおいて無線接続状態であり且つ前記非ライセンス周波数で通信する能力を有する複数の無線端末に対して共通に設定される、請求項１〜３のいずれか１項に記載の無線局。
【請求項５】
前記制御手段は、さらに、前記Measurement configurationを送信することに先立って、前記第二のセルとの近接の検出結果を前記無線端末から受信し、前記近接の前記検出結果に基づいて、前記無線端末への前記Measurement configurationの送信を決定する、
請求項１〜４のいずれか１項に記載の無線局。
【請求項６】
前記ライセンス周波数は、第１及び第２のライセンス周波数を含み、
前記無線通信手段は、前記第１のライセンス周波数の前記第一のセルを運用する第１の無線通信ノードと、前記第２のライセンス周波数の第三のセルおよび前記非ライセンス周波数の前記第二のセルを運用する第２の無線通信ノードを含み、
前記制御情報は、前記第三のセルにおいて前記第２の無線通信ノードから送信され、
前記ディスカバリ信号測定の前記結果は、前記第一のセルにおいて前記第１の無線通信ノードによって受信される、
請求項１〜５のいずれか１項に記載の無線局。
【請求項７】
無線局において行われる方法であって、
ライセンス周波数の第一のセルにおいて無線端末と通信すること、及び
非ライセンス周波数の第二のセルにおけるディスカバリ信号測定に関連付けられた制御情報を含むMeasurement configurationを、前記第一のセルにおいて前記無線端末に送信すること、を備え、
前記制御情報は、前記ディスカバリ信号測定が実行される第１の期間が発生する周期性を示す情報と、前記第１の期間が開始するサブフレーム番号及びシステムフレーム番号（SFN）を示すためのオフセット値とを含み、
前記方法は、前記オフセット値によって示される前記サブフレーム番号及び前記SFNで開始され且つ前記周期性で周期的に発生する前記第１の期間の中で実行された前記ディスカバリ信号測定の結果を、前記第一のセルにおいて前記無線端末から受信することをさらに備え、
前記第１の期間は、前記非ライセンス周波数の割り当てが可能な期間である、方法。
【請求項８】
無線端末において行われる方法であって、
ライセンス周波数の第一のセルにおいて無線局と通信すること、及び
非ライセンス周波数の第二のセルにおけるディスカバリ信号測定に関連付けられた制御情報を含むMeasurement configurationを、前記第一のセルにおいて前記無線局から受信すること、を備え、
前記制御情報は、前記ディスカバリ信号測定が実行される第１の期間が発生する周期性を示す情報と、前記第１の期間が開始するサブフレーム番号及びシステムフレーム番号（SFN）を示すためのオフセット値とを含み、
前記方法は、
前記オフセット値によって示される前記サブフレーム番号及び前記SFNで開始され且つ前記周期性で周期的に発生する前記第１の期間の中で前記ディスカバリ信号測定を実行すること、及び
前記ディスカバリ信号測定の結果を、前記第一のセルにおいて前記無線局に送信すること、をさらに備え
前記第１の期間は、前記非ライセンス周波数の割り当てが可能な期間である、方法。
【請求項９】
ライセンス周波数の第一のセルおよび非ライセンス周波数の第二のセルで無線局と通信するための無線通信手段と、
前記第二のセルにおけるディスカバリ信号測定に関連付けられた制御情報を含むMeasurement configurationを、前記第一のセルにおいて前記無線局から受信する制御手段と、を備え、
前記制御情報は、前記ディスカバリ信号測定が実行される第１の期間が発生する周期性を示す情報と、前記第１の期間が開始するサブフレーム番号及びシステムフレーム番号（SFN）を示すためのオフセット値とを含み、
前記制御手段は、前記オフセット値によって示される前記サブフレーム番号及び前記SFNで開始され且つ前記周期性で周期的に発生する前記第１の期間の中で前記ディスカバリ信号測定を実行し、前記ディスカバリ信号測定の結果を前記第一のセルにおいて前記無線局に送信し、
前記第１の期間は、前記非ライセンス周波数の割り当てが可能な期間である、無線端末。
【発明の詳細な説明】
【技術分野】
【０００１】
本出願は、無線局が非ライセンス周波数又は共用周波数において無線端末と通信を行う無線通信システムに関する。
【背景技術】
【０００２】
近年のモバイルトラフィックの急激な増大による通信品質の低下の改善、及びさらなる高速通信の実現の為、3GPP Long Term Evolution（LTE）では無線基地局（eNode B: eNB）と無線端末（User Equipment: UE）が複数のセルを使用して通信を行うキャリアアグリゲーション（Carrier Aggregation: CA）機能の仕様化が行われた。なお、UEがCAで使用可能なセルは、１つのeNBの複数のセル（つまり、eNBによって運用または管理される複数セル）に限定される。CAにおいてUEが使用するセルは、CAを開始する時点で既にサービングセルとして使用されているプライマリセル（Primary cell: PCell）と、追加的に又は従属的に使用されるセカンダリセル（Secondary cell: SCell）に分類される。PCellでは、無線接続の（再）確立（Radio Resource Control (RRC) Connection Establishment, RRC Connection Re-establishment）の際に、Non Access Stratum（NAS）モビリティ情報（NAS mobility information）及びセキュリティ情報（security input）が送受信される（非特許文献１のセクション7.5を参照）。
【０００３】
一方、CAの導入により機能的には高速通信の実現が可能になったが、実運用においては各オペレータに割り当てられた周波数の制限（不足）により、今後の更なるモバイルトラフィックの増加に対しては懸念が残るのが現状である。そこで、3GPP標準化では、非ライセンス周波数（Unlicensed frequency band、Unlicensed spectrum）を利用してLTEを実行するUnlicensed LTE（LTE-UまたはU-LTEとも呼ばれる。以降ではLTE-Uと記載する）の議論が開始されている（非特許文献２、３）。
【０００４】
LTE-Uの実現方式としては、ライセンス周波数と連動して（例えばCAのSCellとして）、非ライセンス周波数でeNBがUEと通信を行うLicensed Assisted Access (LAA)と、非ライセンス周波数のみでUEと通信を行うStandalone (SA)の２通りの方法が考えられている。ここで、非ライセンス周波数としては、例えば5GHz帯が想定されており、当該5GHz帯は、他にもレーダーシステム及び無線LAN(Wireless LAN: WLAN。WiFiとも呼ばれる)にも使用される周波数である。その為、非ライセンス周波数のみで通信を行うSA方式は、LTEで規定される細やかな制御の実現可能性に懸念があり、実現可能性が比較的高いLAA方式（LA-LTEとも呼ばれる）が検討の中心とされている。以降では、ライセンス周波数と非ライセンス周波数でCAを行うLAA方式によるLTE-Uに注目して説明する。尚、ライセンス周波数とは、特定のオペレータに割り当てられた専用周波数を指す。また、非ラインセンス周波数とは、特定のオペレータに割り当てられていない周波数、あるいは複数のオペレータに割り当てられた共用周波数を指す。後者の場合、当該周波数は非ライセンス周波数と呼ばれる代わりに、ライセンス共有周波数とも呼ばれることがあり、当該周波数を使用した通信はLicensed Shared Access (LSA)とも呼ばれる。以降では、特定のオペレータのみにライセンスされたライセンス周波数以外のこれらの周波数を総称して非ライセンス周波数と呼ぶ。
【０００５】
LAA方式によるLTE-Uは、基本的に図１５に示すシーケンスに従って実行される。ここでは、eNBがライセンス周波数のCell #1と非ライセンス周波数のCell #2において、UE #1との間でデータ送信（又は受信）を行う場合を想定する。まず、Cell #1においてeNBとUE #1の間で無線接続が確立され（RRC Connection Establishment, S901）、更にコアネットワーク（Evolved Packet Core: EPC）とUE #1の間でベアラが確立される（不図示）。つまり、Cell #1がUE #1のPCellとなる。eNBは、UE #1へ送信すべきダウンリンク（DL）・ユーザデータ（User Plane (UP)データとも呼ぶ）がある場合、又はUE #1が送信したいアップリンク（UL）・ユーザデータがある場合、当該ユーザデータをCell #1において送受信する（DL (or UL) UP data transmission, S902）。
【０００６】
次に、eNBは、ある時点でUE #1がCell # 2においてユーザデータを送受信することが有効であると判定した場合（Trigger LTE-U for UE #1, S903）、Cell #1においてCell #2の無線リソース設定に関する制御情報をUE #1に送信する（Radio Resource Configuration for Cell #2, S904）。当該制御情報は、LTEにおけるRRC Connection Reconfiguration messageにて送信されるRadioResourceConfigDedicated Information Element (IE)及びRadioResourceConfigCommon IEに相当する（非特許文献４）。このとき、Cell #2がUE #1のSCellとなる。下りリンクでユーザデータを送信する場合、eNBは、Cell #2においてセンシングを行い、当該Cell #2が使用可能であるかを判定する（Perform channel sensing, S905）。eNBは、Cell #2が使用可能であると判定した場合、UE #1との間でユーザデータを送受信する（DL (or UL) UP data transmission, S906）。このように、非ライセンス周波数を利用することで更なるスループットの改善、或いはセル容量の増加が期待できる。
【０００７】
尚、上述のセンシングは、Listen Before Talk (LBT)とも呼ばれ（非特許文献２）、対象の非ライセンス周波数にて、他のオペレータによるLTE-U又は他の無線システム（e.g. WLAN）による通信が近隣で行われているか否かを判定するもので、レーダーシステムに対するChannel Availability Check (CAC)、及びWLANでAccess Point (AP)において実行されるClear Channel Assessment (CCA)などに相当する（特許文献１）。
【先行技術文献】
【非特許文献】
【０００８】
【非特許文献１】3GPP TS 36.300 V12.2.0 (2014-06), “3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 12)”, 2014年6月
【非特許文献２】3GPP RP-131635, “Introducing LTE in Unlicensed Spectrum”, Qualcomm, Ericsson, 2013年12月
【非特許文献３】3GPP workshop on LTE in unlicensed spectrum, RWS-140002, “LTE in Unlicensed Spectrum: European Regulation and Co-existence Considerations”, Nokia, 2014年6月
【非特許文献４】3GPP TS 36.331 V12.2.0 (2014-06), “3rd Generation Partnership Project; Technical Specification Group Radio Access Network; Evolved Universal Terrestrial Radio Access (E-UTRA); Radio Resource Control (RRC); Protocol specification (Release 12)”, 2014年6月
【非特許文献５】3GPP TR 36.842 V12.0.0 (2013-12), “3rd Generation Partnership Project; Technical Specification Group Radio Access Network; Study on Small Cell enhancements for E-UTRA and E-UTRAN; Higher layer aspects (Release 12)”, 2013年12月
【特許文献】
【０００９】
【特許文献１】米国特許第７４４３８２１号明細書
【発明の概要】
【発明が解決しようとする課題】
【００１０】
上述の背景技術において、基地局（eNB）は、UEによる端末測定報告（measurement report by UE）に基づいて、非ライセンス周波数のセル（Cell #2）における通信を当該UEに許可するか否かを判定することが想定される。例えば、eNBがライセンス周波数のセル（Cell #1）においてUEに対して端末測定報告の指示を行い、当該UEが非ライセンス周波数のセル（Cell #2他）における端末測定を実行し、当該UEがCell #1において当該端末測定の結果を報告する。eNBは、Cell #2における端末測定の結果を基に、当該UEにCell #2でユーザデータを送信するのが妥当か否かを判定する。例えば、eNBは、非ライセンス周波数のセル（Cell #2他）における参照信号（Reference Signal: RS）の受信品質（RSRP又はRSRQ）が所定値以上であるか否かで判定してもよい。そして、eNBが妥当と判定した場合、当該UE（例えば背景技術のUE #1）へCell #2においてユーザデータを送信する。
【００１１】
しかし、通常のLTEにおける端末測定報告を用いる場合、適切なUEに対して非ライセンス周波数（のセル）における通信を許可できない可能性がある。なぜなら、非ライセンス周波数は、上述のように他の無線システムと共有されるため、LTEのセルのように常に参照信号が送信されているとは限らない為である。例えば、UEは、他の無線システムから参照信号が送信されている間の受信品質と送信されていない間の受信品質（この場合は無効値となる）を平均化して端末測定報告における値を算出するかもしれない。そうすると、端末測定報告に示される非ライセンス周波数における受信品質は、非ライセンス周波数（のセル）における通信を行うことが妥当と判定する為に定められた閾値レベルよりも低く算出されてしまう可能性がある。このような場合、上述のeNBによるセンシング（図１５のS905）に基づいて非ライセンス周波数を利用可能であると判定しても、非ライセンス周波数の利用を適切なUEに許可できていない為に非ライセンス周波数を利用することによる性能向上（e.g. スループット改善、又はセル容量の増加）が十分に得られないかもしれない。
【００１２】
従って、本明細書に開示される実施形態が達成しようとする目的の１つは、非ラインセンス周波数（のセル）における通信を無線端末（e.g. UE）に許可するか否かを無線局（e.g. eNB）において正確に判定する為に有用な情報を取得することに寄与する装置、方法、及びプログラムを提供することである。
【課題を解決するための手段】
【００１３】
第１の態様では、無線局において行われる方法は、（ａ）ライセンス周波数において無線端末と通信すること、（ｂ）非ライセンス周波数における端末測定の測定タイミング及び測定期間の少なくとも一方に関連付けられた制御シグナリングを、前記ライセンス周波数において前記無線端末に送信すること、及び（ｃ）前記制御シグナリングに応答して前記測定タイミング及び前記測定期間の少なくとも一方に従って実行された端末測定の結果を、前記ライセンス周波数において前記無線端末から受信すること、を含む。
【００１４】
第２の態様では、無線局は、無線通信部（トランシーバ）及び制御部（コントローラ）を含む。前記無線通信部は、ライセンス周波数および非ライセンス周波数で通信するよう構成されている。前記制御部は、前記非ライセンス周波数における端末測定の測定タイミング及び測定期間の少なくとも一方に関連付けられた制御シグナリングを前記ライセンス周波数において無線端末に送信し、前記制御シグナリングに応答して前記測定タイミング及び前記測定期間の少なくとも一方に従って実行された前記端末測定の結果を前記ライセンス周波数において前記無線端末から受信するよう構成されている。
【００１５】
第３の態様では、無線端末において行われる方法は、（ａ）ライセンス周波数において無線局と通信すること、（ｂ）非ライセンス周波数における端末測定の測定タイミング及び測定期間の少なくとも一方に関連付けられた制御シグナリングを、前記ライセンス周波数において前記無線局から受信すること、（ｃ）前記制御シグナリングに応答して前記測定タイミング及び前記測定期間の少なくとも一方に従って端末測定を実行すること、及び（ｄ）前記端末測定の結果を、前記ライセンス周波数において前記無線局に送信すること、を含む。
【００１６】
第４の態様では、無線端末は、無線通信部（トランシーバ）及び制御部（コントローラ）を含む。前記無線通信部は、ライセンス周波数および非ライセンス周波数で無線局と通信するよう構成されている。前記制御部は、前記非ライセンス周波数における端末測定の測定タイミング及び測定期間の少なくとも一方に関連付けられた制御シグナリングを前記ライセンス周波数において前記無線局から受信し、前記制御シグナリングに応答して前記測定タイミング及び前記測定期間の少なくとも一方に従って端末測定を実行し、前記端末測定の結果を前記ライセンス周波数において前記無線局に送信するよう構成されている。
【００１７】
第５の態様では、プログラムは、コンピュータに読み込まれた場合に、上述の第１の態様に係る方法をコンピュータに行わせるための命令群（ソフトウェアコード）を含む。
【００１８】
第６の態様では、プログラムは、コンピュータに読み込まれた場合に、上述の第３の態様に係る方法をコンピュータに行わせるための命令群（ソフトウェアコード）を含む。
【００１９】
第７の態様では、端末測定のための方法は、（ａ）非ライセンス周波数における端末測定の測定タイミング及び測定期間の少なくとも一方に関連付けられた制御シグナリングを、ライセンス周波数において無線局から無線端末に送信すること、（ｂ）前記制御シグナリングに応答して前記測定タイミング及び前記測定期間の少なくとも一方に従って前記端末測定を前記無線端末によって実行すること、及び（ｃ）前記端末測定の結果を、前記ライセンス周波数において前記無線端末から前記無線局に送信すること、を含む。
【発明の効果】
【００２０】
上述の態様によれば、非ラインセンス周波数（のセル）における通信を無線端末（e.g. UE）に許可するか否かを無線局（e.g. eNB）において判定する為に有用な情報を取得することに寄与する装置、方法、及びプログラムを提供できる。
【図面の簡単な説明】
【００２１】
【図１Ａ】いくつかの実施形態に係る無線通信システムと他の無線システムの構成例を示す図である。
【図１Ｂ】いくつかの実施形態に係る無線通信システムと他の無線システムの構成例を示す図である。
【図２】いくつかの実施形態に係る無線通信システムと他の無線システムの構成例を示す図である。
【図３】第１の実施形態に係る無線基地局及び無線端末の動作の一例を示すシーケンス図である。
【図４】第１の実施形態に係る無線基地局及び無線端末の動作の一例を示すシーケンス図である（具体例１）。
【図５】第１の実施形態に係る無線端末による端末測定の一例を示す図である（具体例２）。
【図６】第１の実施形態に係る無線端末による端末測定の一例を示す図である（具体例３）。
【図７】第１の実施形態に係る無線端末による端末測定の一例を示す図である（具体例４）。
【図８】第２の実施形態に係る無線基地局及び無線端末の動作の一例を示すシーケンス図である。
【図９】いくつかの実施形態に係る無線通信システムと他の無線システムの構成例を示す図である。
【図１０】第３の実施形態に係る２つの無線基地局及び無線端末の動作の一例を示すシーケンス図である。
【図１１】第３の実施形態に係る２つの無線基地局（MeNB及びSeNB）の動作の例を示すシーケンス図である（具体例５）。
【図１２】第３の実施形態に係る２つの無線基地局（MeNB及びSeNB）の動作の例を示すシーケンス図である（具体例６）。
【図１３】いくつかの実施形態に係る無線基地局の構成例を示すブロック図である。
【図１４】いくつかの実施形態に係る無線端末の構成例を示すブロック図である。
【図１５】LTE-Uでの無線基地局及び無線端末の動作の一例を示すシーケンス図である。
【発明を実施するための形態】
【００２２】
以下では、具体的な実施形態について、図面を参照しながら詳細に説明する。各図面において、同一又は対応する要素には同一の符号が付されており、説明の明確化のため、必要に応じて重複説明は省略される。
【００２３】
以下に示される複数の実施形態は、LTE及びSAE（System Architecture Evolution）を収容するEvolved Packet System（EPS）を主な対象として説明される。しかしながら、これらの実施形態は、EPSに限定されるものではなく、他のモバイル通信ネットワーク又はシステム、例えば3GPP Universal Mobile Telecommunications System（UMTS）、3GPP2 CDMA2000システム（1xRTT, HRPD (High Rate Packet Data)）、global system for mobile communications（GSM（登録商標））/ General packet radio service（GPRS）システム、及びWiMAXシステム等に適用されてもよい。
【００２４】
＜第１の実施形態＞
始めに、本実施形態を含む複数の実施形態が対象とする非ライセンス周波数（Unlicensed frequency band, Unlicensed spectrum）を利用するUnlicensed LTEのいくつかの例について説明する。ここで、Unlicensed LTEはLTE-UまたはU-LTEとも呼ばれ、以降ではLTE-Uと記載して説明する。また、非ライセンス周波数とは、例えばレーダーシステム及び無線LAN（WLAN。WiFiとも呼ばれる）にも使用される周波数で、特定のオペレータ（つまり、サービス事業者）のみに割り当てられたライセンス周波数以外の周波数を指す。非ライセンス周波数としては、例えば5 GHz帯が想定されるが、これには限定されない。更に、以下に説明される複数の実施形態は、複数のオペレータに共通に割り当てられた共用周波数（Shared frequency band, Shared spectrum）においても適用可能であることは言うまでもない。以降では、ライセンス周波数以外のこれらの周波数を総称して非ライセンス周波数と呼ぶ。
【００２５】
図１Ａ、図１Ｂ、および図２は、本実施形態を含む複数の実施形態が対象とするLTE-Uの無線通信システムと他のシステムの構成例を示す図である。図１Ａの例では、無線通信システムは、LTEの無線基地局（eNB）１１と無線端末（UE）３を含む。eNB１１とUE３は、ライセンス周波数（F1）で通常のLTEによる通信を行うよう構成され、非ライセンス周波数（F2）にてLTE-Uによる通信を行うよう構成されている。一方、当該非ライセンス周波数（F2）は、無線LANアクセスポイント（WLAN AP）４と無線LAN端末（WLAN Terminal）５間の通信にも使用される。図１Ｂの例では、図１Ａの例に加え、LTE eNB１１がリモート基地局１２（RRH又はRRE）を管理し、当該リモート基地局１２によって非ライセンス周波数（F2）にてLTE-Uによる通信を行う。
【００２６】
図１Ａと１Ｂの構成は、同じシステムに共存していてもよい。さらに、図１Ａ及び図１Ｂは、想定する無線通信システムの一部分のみを示しており、実際にはeNB１１、RRH/RRE１２、及びUE３の周辺に複数のeNB及びRRH/RRE並びに複数のUEが存在し、複数のライセンス周波数のセルがこれら複数のeNB及びRRH/RREにより管理される。さらに、eNB１１、RRH/RRE１２、及びUE３の周辺に複数のWLAN APとWLAN Terminalが存在してもよい。以降の説明では、LTE-Uの機能を有するeNBを総称して無線基地局１又はLTE-U eNB１と呼ぶ。つまり、無線基地局１又はLTE-U eNB１は、図１Ａの構成ではeNB１１に相当し、図１Ｂの構成ではeNB１１及びRRH/RRE１２に相当する。説明の便宜上、図１Ｂの構成のRRH/RRE１２に対応するノードのみを指して無線基地局１又はLTE-U eNB１と呼ぶこともある。
【００２７】
図２は、非ライセンス周波数に注目した場合のLTE-Uの無線通信システムと他の無線通信システムの構成例である。あるオペレータ（サービス事業者）AのLTE-Uの機能を有する無線基地局（LTE-U eNB-A）１Ａと当該オペレータAのネットワークに接続可能な無線端末（UE for Operator A. UE-A）３Ａが存在する。同様に、別のオペレータ（サービス事業者）BのLTE-Uの機能を有する無線基地局（LTE-U eNB-B）１Ｂと当該オペレータBのネットワークに接続可能な無線端末（UE for Operator B. UE-B）３Ａが存在する。ここで、LTE-U eNB１Ａ及び１Ｂは、例えば図１Ａ及び図１ＢのeNB１１及びRRH/RRE１２に相当し、LTE-Uのアクセスポイントという意味でLTE-U APとも呼ばれる。また、図１Ａ及び図１Ｂと同様に、LTE-U eNB１Ａ及び１Ｂ並びにＵＥ３Ａ及び３Ｂの周辺にはWLAN AP４とWLAN Terminal５が存在する。
【００２８】
上述および以降の説明では、LTE-UがLAA（LA-LTEとも呼ばれる）で実現されることを想定する。既に述べたように、LAAでは、無線基地局（LTE-U eNB）１と無線端末（UE）３は、ライセンス周波数のセルと非ライセンス周波数のセルをキャリアグリゲーション（CA）し、ライセンス周波数のセルをプライマリセル（PCell）として使用すると共に、非ライセンス周波数のセルをセカンダリセル（SCell）として使用する。既に述べたように、LTE-Uは、非ライセンス周波数において実行される代わりに、複数のオペレータ（サービス事業者）に割り当てられた共用周波数（Shared frequency band、Shared spectrum）において実行されてもよい。この場合、LTE-Uは、上述のLAA又はこれと同様の方式で実現されてもよい。あるいは、LTE-U eNB１とUE３は、複数（例えば、F3とF4の２つ）の共用周波数を使用してCAを行い、片方の共用周波数（F3）をPCellとして通常のLTEを実行し、もう一方の共用周波数（F4）をSCellとしてLTE-Uを実行するようにしてもよい。既に述べたように、共用周波数におけるLTE-Uは特にLicensed Shared Access (LSA)とも呼ばれる。さらにまた、LTE-U eNB１とUE３は、複数のオペレータに割り当てられた共用周波数（例えばF3）と、いずれのオペレータにも割り当てられていない狭義の非ライセンス周波数（例えばF2、例えば5GHz帯）を使用してCAを行い、共用周波数（F3）をPCellとして通常のLTEを実行し、狭義の非ライセンス周波数（F2）をSCellとしてLTE-Uを実行するようにしてもよい。
【００２９】
さらに、本実施形態を含む複数の実施形態では、説明の簡単化の為に、LTE-Uにて実行される非ライセンス周波数（または共用周波数）における通信は、基本的に無線基地局１から無線端末３への下りリンクのデータ送信を想定する。しかし、LTE-Uでの非ライセンス周波数（または共用周波数）における通信は、同様に無線端末３から無線基地局１への上りリンクのデータ送信にも適用できることは言うまでもない。更に、非ライセンス周波数における無線基地局１と無線端末３との間の通信が下りリンクのみ可能である場合、非ラインセンス周波数をセカンダリセル（SCell）として使用するLAAにおいて、当該非ライセンス周波数は実質的に単独のセルとしての役割を持たず、下りリンクのセカンダリキャリア（Secondary Component Carrier: SCC）としての役割のみを持つ。しかし、本実施形態を含む実施形態の説明においては、基本的に非ライセンス周波数が単独でセルとしての役割を持つか否かは区別せずに説明し、必要に応じて補足説明を行うものとする。
【００３０】
図３は、第１の実施形態における無線基地局（LTE-U eNB）１と無線端末（UE）３の動作を示すシーケンス図である。なお、無線端末３は図３においてUE #1と表示されている。図３では、LTE-U eNB１が、ライセンス周波数（F1）におけるセル（Cell #1）と非ライセンス周波数（F2）におけるセル（Cell #2）を管理する場合を想定する。
【００３１】
図３において、まずUE３は、Cell #1においてLTE-U eNB１と無線接続を確立し（RRC Connection Establishment、S101）、更に図示しないコアネットワーク（EPC）との間でベアラ（e.g. EPS bearer, E-RAB）の確立を行う。この後、例えばユーザデータの送受信が可能な状態になる（不図示）。LTE-U eNB１は、UE３に非ライセンス周波数（例えばF2）における端末測定（UE measurement）の指示を、Cell #1で所定の制御シグナリングによって行う（Measurement Configuration and Instruction for Unlicensed Frequency (e.g. Cell #2 on F2)、S102）。言い換えると、Cell #1で送信される所定の制御シグナリングは、非ライセンス周波数（例えばF2）における端末測定（UE measurement）の指示を明示的に又は黙示的に示す。
【００３２】
当該制御シグナリング又は端末測定の指示（S102）は、UE３がUnlicensed Frequency（例えばF2のCell #2）における端末測定を、どのタイミングで測定すればよいかを示す（つまり端末測定を実行すべき）測定タイミング、及びどの期間で測定すればよいかを示す（つまり端末測定を実行することが妥当な）測定期間、の少なくともいずれかに関連づけられる。言い換えると、当該制御シグナリング又は端末測定の指示（S102）は、UE３によるUnlicensed Frequency（例えばF2のCell #2）における端末測定の測定タイミング及び測定期間（測定可能な期間）のうち少なくとも一方を明示的に又は黙示的に示す。例えば、当該端末測定の指示は、測定タイミングと測定期間の少なくともいずれかを明示的に示してもよいし、測定タイミングと測定期間の少なくともいずれかに関する情報を含んでいてもよい。また、当該端末測定の指示は、端末測定の対象となる非ライセンス周波数若しくは非ライセンス周波数のセル又はこれら両方に関する情報を含んでいてもよい。さらに、端末測定の対象となる非ライセンス周波数の数は、図３のように１つでもよいし、複数でもよい。同様に、非ライセンス周波数のセルの数も１つでもよいし複数でもよい。尚、端末測定の為の設定情報（Measurement Configuration: MeasConfig）と端末測定の指示（Measurement Instruction）は、同じ制御シグナリングで送信されてもよいし、別々の制御シグナリング（又は、制御メッセージと制御シグナリング）で送信されてもよい。
【００３３】
ここで、端末測定の為の設定情報（MeasConfig）は、例えば、対象となる１つ以上の非ラインセンス周波数の情報、及び当該非ライセンス周波数におけるセルの情報の少なくともいずれかを含む。非ライセンス周波数の情報は、例えば以下のいずれか又は組み合わせで示されてもよい：
・LTEの周波数識別子（e.g. E-UTRA Absolute Radio Frequency Channel Number (EARFCN)）；
・非ライセンス周波数識別子（e.g. Unlicensed frequency index）、及び
・（中心）周波数（e.g. carrier frequency）。
非ライセンス周波数識別子は、LTE-Uで使用可能な非ライセンス周波数に対して新たに番号又はインデックスを付与して定義されてもよい。
【００３４】
非ライセンス周波数におけるセルの情報は、例えば以下のいずれか又は組み合わせで示されてもよい：
・セル識別子（e.g. Physical Cell Identifier (PCI)、EUTRAN Cell Global ID (ECGI)、又は Virtual Cell ID）、及び
・非ライセンス周波数セル識別子（e.g. Unlicensed Cell ID）。
Virtual Cell IDは、例えば当該非ライセンス周波数のセルにて参照信号（Reference Signal）の送信などに使用されるスクランブリング・コード識別子（e.g. Scrambling Identity、又は Scrambling Code ID）であってもよい。また、非ライセンス周波数セル識別子は、非ライセンス周波数のセルに対して新たにセル番号又はセルインデックスを付与して定義されてもよい。
【００３５】
さらにまた、MeasConfigは、その他のネットワーク識別子（e.g. Public Land Mobile Network Identifier (PLMN ID)、Tracking Area Identity (TAI) 、又は Tracking Area Code (TAC)）を含んでもよい。MeasConfigがこれらのネットワーク識別子を含む場合、無線端末３は、指定されたネットワーク識別子を端末測定の対象となるセルにおいて確認できたことに応答して当該セルにおいて端末測定を行えばよい。
【００３６】
さらに、MeasConfigは、端末測定の対象とする非ライセンス周波数における他のシステムに関する情報を含んでもよい。他のシステムに関する情報は、例えばWLANの（Access Pointの）識別子（e.g. Service Set Identifier (SSID)、Basic SSID (BSSID)、又は Homogenous Extended SSID (HESSID)）であってもよい。MeasConfigがWLANの識別子を含む場合、無線端末３は、指定されたWLANの識別子を端末測定の対象となる非ライセンス周波数にて検出したことに応答して当該WLANの信号の受信品質（e.g. Received Signal Strength Indicator (RSSI)、Received Channel Power Indicator (RCPI)、又はReceived Signal to Noise Indicator (RSNI)）を測定し、無線基地局１に報告するようにしてもよい。
【００３７】
図３に戻り説明を続ける。UE３は、当該制御シグナリング（S102）に応答して、つまり当該端末測定の指示に従い、Cell #2において端末測定を行い（Measurement、S104）、当該端末測定の結果をCell #1においてLTE-U eNBに報告する（Measurement Reporting for Unlicensed Frequency (e.g. Cell #2 on F2)、S105）。UE３は、例えば、端末測定（S104）において、LTE-U eNB１からCell #2にて送信される参照信号（S103）の受信強度又は受信品質を測定してもよい。端末測定及び端末測定報告は、非ライセンス周波数（F2）のセル（Cell #2）だけでなく、F2の他のセル、他の非ライセンス周波数、又はライセンス周波数に対して行われてもよい。ここで、端末測定の指示は明示的に行われてもよいし、上述の端末測定タイミング又は測定期間に関する情報が送信されることが黙示的に端末測定の指示となってもよい。
【００３８】
このように、無線基地局（LTE-U eNB）１は、非ライセンス周波数における端末測定における当該端末測定の測定タイミング若しくは測定期間又はこれら両方を無線端末（UE）３に指定（指示）することで、期待する端末測定結果を収集することができる。そして、LTE-U eNB１は、当該端末測定結果を基に、当該非ライセンス周波数（のセル）において当該UE３と通信（つまりLTEによるデータ送受信）を行うことが可能か否か（又は、適切か否か）を判定することができる。
【００３９】
ただし、無線基地局（LTE-U eNB）１は、常に非ライセンス周波数（のセル）でのLTEの運用が可能とは限らない。LTE-U eNB１は、当該非ライセンス周波数がLTE-Uに使用可能であるか否かをセンシング等により適宜確認し、使用可能である場合に、例えば同期信信号（Synchronization Signal）及び参照信号（Reference Signal）を送信してもよい。その為、LTE-U eNB１は、自身が非ライセンス周波数を利用可能な期間（つまり、利用可能期間）に非ライセンス周波数での端末測定の測定タイミングまたは測定期間が納まるように、制御シグナリングの送信タイミング又は制御シグナリングによって運ばれる（測定タイミング及び測定期間の少なくとも一方を示す）制御情報を調整してもよい。一例において、LTE-U eNB１は、測定タイミング若しくは測定期間又はこれら両方を、非ライセンス周波数が利用可能であると判定された期間にこれらが納まるように指定してもよい。また、当該非ライセンス周波数が利用可能であると判定された場合、又は当該非ライセンス周波数が利用可能である間に、LTE-U eNB１は、非ライセンス周波数における端末測定の指示を所定の制御シグナリングによって送信してもよい。既に述べたように、LTE-U eNB１による上述のセンシングは、Listen Before Talk (LBT)とも呼ばれる。当該センシングは、例えば、レーダーシステムに対するCAC、又はWLAN APにおいて実行されるCCAに相当する。ここで、CACは、対象の非ライセンス周波数がレーダーシステムで利用される周波数でない場合には実行されなくてもよい。
【００４０】
≪具体例１≫
第１の実施形態における具体例１について説明する。図４は、具体例１における無線基地局（LTE-U eNB）１と無線端末３の動作を示すシーケンス図である。図４の想定は図３と同様であり、無線基地局（LTE-U eNB）１が、ライセンス周波数（F1）におけるセル（Cell #1）と非ライセンス周波数（F2）におけるセル（Cell #2）を管理する。LTE-U eNB１は、UE３に非ライセンス周波数（F2）における端末測定を指示し、当該端末測定の結果を基に当該非ライセンス周波数でUE３とのLTE-Uによる通信（例えば下りリンクデータ送信）を行うか否かを決定する。なお、無線端末３は図４においてUE #1と表示されている。
【００４１】
図４において、まずUE３は、Cell #1においてLTE-U eNB１と無線接続を確立し（RRC Connection Establishment、S201）、更に図示しないコアネットワーク（EPC）との間でベアラ（e.g. EPS bearer, E-RAB）の確立を行う。この後、例えばCell #1においてユーザデータの送受信が可能な状態になる（不図示）。LTE-U eNB１は、非ライセンス周波数（F2）における第１のセンシングを行う（Perform first channel sensing、S202）。ここで、第１のセンシングは、レーダーシステムに対するCAC、WLAN等の他のシステムに対するCCA、若しくは他のオペレータ（サービス事業者）によるLTE-Uに対するCCA、又はこれらのうち２つ若しくは全てを含む。LTE-U eNB１は、第１のセンシング（S202）により当該非ライセンス周波数（F2）が使用可能であると判定すると、UE３へ所定の制御シグナリングにてF2（のセル（Cell #2））における端末測定を指示し、UE３は、当該指示に従って端末測定を行うとともに当該端末測定の結果をLTE-U eNB１へ報告する（Measurement Configuration, Instruction and Reporting for Unlicensed Frequency、S203）。LTE-U eNB１は、報告された端末測定の結果を基に、UE３とのCell #2での通信（例えば下りリンクのデータ送信）を行うか否かを判定する（S204）。
【００４２】
ここで、当該端末測定は、例えば、参照信号（RS）の受信品質（Reference Signal Received Power (RSRP)、Reference Signal Received Quality (RSRQ)、RSSI、Channel Quality Indicator (CQI)、又はSignal-to-Interference-plus-Noise ratio (SINR)）の測定を含んでよい。そして、LTE-U eNB１による当該判定は、報告された受信品質の値が所定値以上（又は所定値より大きい）であるか否かで行われてもよい。参照信号は、信号の種類及び系列又はそれらの候補が無線端末３において予め既知である信号の総称であり、パイロット信号とも呼ばれる。LTEにおける参照信号は、例えば、セル毎に異なるCell Specific Reference Signal (CRS)、CQI測定などにも利用されるCSI (Channel State Information) RS、又はセル検出に利用されるDRS (Discovery Reference Signal)を含む。
【００４３】
さらに又はこれに代えて、当該端末測定は、WLANなどの他のシステムで規定される所定の信号（例えば、参照信号、又は当該システムの周波数で送信されている信号の全て若しくは一部）の受信品質（RSSI、RCPI、又はRSNI）の測定を含んでもよい。このとき、LTE-U eNB１による当該判定は、報告された受信品質の値が所定値以下（又は所定値未満）であるか否かで行われてもよい。或いは、UE３は、当該端末測定においてWLANなどの他のシステムの信号の検出を行い（つまり、検出を試み）、当該検出の結果を報告してもよい。このとき、LTE-U eNB１による当該判定は、他のシステムが検出されたと報告されるか否かを考慮して行われてもよい。
【００４４】
さらに又はこれに代えて、UE３は、端末測定においてWLANなどの他のシステムの負荷情報（BSS (Basic Service Set) Load）を取得し、当該負荷情報を報告してもよい。このとき、LTE-U eNB１による当該判定は、他のシステムの負荷が所定の閾値以上（閾値よりも大きい）か否かを考慮して行われてもよい。LTE-U eNB１は、上述した複数の端末測定の結果に基づいて、UE３とのCell #2での通信を行うか否かの当該判定を行ってもよい。
【００４５】
LTE-U eNB１は、Cell #2にてUE３と通信を行うと判定した場合、Cell #2の無線リソース設定情報（Radio Resource Configuration, e.g. RadioResourceConfigCommon及びRadioResourceConfigDedicated）をCell #1にてUE３に送信する（Radio Resource Configuration for Cell #2、S205）。このときLTE-U eNB１は、例えばRRC Connection Reconfiguration messageを使用してもよい。
【００４６】
そして、LTE-U eNB１は、非ライセンス周波数（F2）における第２のセンシングを行う（Perform second channel sensing、S206）。第２のセンシングは、第１のセンシングと同じでよいし、異なってもよい。LTE-U eNB１は、当該非ライセンス周波数（F2）が使用可能であると判定すると、Cell #2においてUE３へユーザデータ（UP data）を送信する（S207）。このとき、当該ユーザデータのスケジューリング（つまり無線リソースの割り当て情報の通知）は、ライセンス周波数（e.g. F1）のセル（e.g. Cell #1）において行われてもよいし、Cell #2において行われてもよい。前者のスケジューリングは、LTEにおいてcross-carrier schedulingと呼ばれる技術を利用してもよい。また、Cell #2におけるUE３へのユーザデータ送信は、Cell #1にてUE３から報告されるCell #2に対するCSIフィードバック情報（e.g. CQI, Precoding Matrix Indicator (PMI), Rank Indicator (RI)）を基に行われてもよい。
【００４７】
以上の手順により、無線基地局（LTE-U eNB）１は、非ライセンス周波数におけるLTE（LTE-U）が許可される無線端末（UE）３を適切に判定することができる。その結果、LTEの無線通信システムの全体の特性、例えばシステムスループットの改善が期待できる。
【００４８】
≪具体例２≫
第１の実施形態における具体例２について説明する。具体例１との違いは、無線基地局（LTE-U eNB）１が、非ライセンス周波数における端末測定の指示の為に規定された制御情報を用いて生成された制御シグナリングを使用する点である。制御シグナリングは当該制御情報を明示的に含んでもよいし、制御シグナリングの生成過程において当該制御情報がデータスクランブリングのために使用されてもよい。具体例２では、非ライセンス周波数（F2）における端末測定の指示を送信する制御シグナリングとして、下りリンクの物理制御チャネル（Physical Downlink Control CHannel: PDCCH）で送信されるLayer 1 (L1) 制御信号若しくはLayer 2 (L2) 制御信号又はこれら両方（L1/L2 signaling）が使用される。そして、当該制御情報は、PDCCHの生成および検出に用いられる識別子（Radio Network Temporary Identifier: RNTI）の一種であるU-RNTI（LTE-U RNTI、U-LTE RNTI、又はUnlicensed RNTI）である。当該U-RNTIは、ライセンス周波数（e.g. F1）のセルにおいて無線接続状態（RRC_CONNECTED）である複数の無線端末３（つまり、非ライセンス周波数で通信する能力を有する無線端末）に対して共通の値が設定されてもよい。
【００４９】
つまり、非ライセンス周波数（F2）における端末測定の指示を送信する制御シグナリング（L1/L2制御信号）は、当該U-RNTIを用いて（つまり、Cyclic Redundancy Check (CRC)パートが当該U-RNTIによってscramble(d)されて）送信される。一例において、非ライセンス周波数における端末測定の指示のために、PDCCHのフォーマット（Downlink Control Information (DCI) format）が新たに規定されてもよい。これに代えて、新たな物理制御チャネルとしてLTE-U PDCCH (U-PDCCH)が規定されてもよく、当該U-PDCCH がPDCCHの代わりにL1/L2制御信号の送信に使用されてもよい。U-PDCCHは、例えば下りリンクの物理共有データチャネル（Physical Downlink Shared Data Channel: PDSCH）の領域の一部を使用するように規定されてもよい。
【００５０】
具体例２では、無線端末（UE３）が当該制御シグナリングを受信したこと自体が、黙示的に測定タイミングを示す。つまり、無線端末（UE）３は、当該制御シグナリングを受信した場合、非ライセンス周波数（F2）のセル（Cell #2）における端末測定を行うよう指示されたと認識する。これを実現する為に、無線基地局（LTE-U eNB）１が予め非ライセンス周波数（F2）のセル（Cell #2）に対する端末測定に必要な設定情報（例えばMeasurement Configuration: MeasConfig）を、RRC signalingで、ライセンス周波数（F1）のセル（Cell #1）において無線端末（UE）３に通知しておけばよい。
【００５１】
ここで、MeasConfigは、例えば、対象となる１つ以上の非ラインセンス周波数（F2）の情報（e.g. EARFCN、Unlicensed frequency index、又はcarrier frequency）、及び、当該非ライセンス周波数（F2）におけるセル（Cell #2）の情報（e.g. PCI, ECGI, Virtual Cell ID, Unlicensed Cell ID）の少なくともいずれかを含む。さらに、無線基地局（LTE-U eNB）１は、MeasConfig又は他のRRCの情報要素（IE）を用いて、LTE-Uへの非ライセンス周波数の割り当て可能期間に関する情報を無線端末（UE）に通知してもよい。当該割り当て可能期間に関する情報は、割り当て可能期間を定義する為の基準期間に相当するDuty Cycle Period (e.g. ms単位) 、及び当該基準期間における割り当て可能期間の割合に相当するDuty Cycle (e.g. %単位)のいずれか又は両方を含んでもよい。例えば、Duty Cycle Periodが200 ms、Duty Cycleが50 ％の場合、LTE-Uには200 ms毎に100 msの割り当て可能期間があると考えればよい。なお、Duty Cycle Period及びDuty Cycleの値は、例えば仕様にて予め規定されていてもよいし、制御装置（e.g. Mobility Management Entity (MME)又はOperation, Administration and Maintenance (OAM) entitiy）から無線基地局１に送られてもよい。或いは、無線基地局１自身が、センシング結果などを基に、Duty Cycle Period及びDuty Cycleを適宜決定してもよい。
【００５２】
図５は、具体例２における非ライセンス周波数（F2）のセル（Cell #2）における無線端末（UE）３による端末測定を説明するための図である。ここでは、無線基地局（LTE-U eNB）１が、他のシステムに対するセンシング結果などを基にダイナミックにCell #2の運用を切り替えることを想定する。例えば、LTE-U eNB１は、所定の参照信号（RS）をF2において間欠的に送信することにより、Cell #2のOn（運用中）とOff（非運用中）を切り替える。F2において所定の参照信号（RS）が送信されている期間は、Cell #2のOn（運用中）期間に対応する。
【００５３】
LTE-U eNB１は、Cell #2をOnすると判断した場合、上述のU-RNTIを用いた(U-)PDCCHで送信される制御シグナリング（L1/L2制御信号）をライセンス周波数のセル（e.g. Cell #1）において送信することで、UE３に対してCell #2における端末測定を指示する。UE３は、当該制御シグナリングを受信すると、それに応答して、Cell #2において端末測定を行う。
【００５４】
Cell #2における端末測定の方法としては、例えば、図５に示す３通りが考えられる。１つ目の方法（option 1）では、UE３が当該(U-)PDCCHを受信した後、Cell #2において所定のRSに対する端末測定を１回だけ行う。この方法では、UE３が当該(U-)PDCCHを受信した直後（例えば、数ms後）に端末測定を１回だけ実行し、短期間で端末測定報告も実行することができる為に、（Cell #2で通信を行う為の判定基準を満たせば）Cell #2をすぐに使用することができるという利点がある。
【００５５】
２つ目の方法（option 2）では、UE３が当該(U-)PDCCHを受信した後、Cell #2において所定のRSに対する端末測定を複数回行う。例えば、UE３はLTEでセル（再）選択などに利用する端末測定の要求条件とされている、two measurements (i.e. two measurement samples)（又は、それ以上）の一次端末測定（ここではL1 measurementを指す）を行い、それらの一次端末測定の結果を平均化（L3 filtering）する処理（二次端末測定）を実行してもよい。この方法では、１つ目の方法に比べて、端末測定の結果の信頼度（精度）が上がるという利点がある。しかし、セル（再）選択などに利用する端末測定の要求条件では、およそ200 ms以内にtwo measurementsとされており、時間の制約が比較的緩い。その為、LTE-Uに再利用する場合、two measurements（又は、それ以上）の一次端末測定（L1 measurement）を行う期間に対する要求条件を、例えば十数ms以内または数十ms以内、と規定することが好ましい。尚、単に端末測定と言う場合は、上述の一次端末測定と二次端末測定の両方（つまり、二次端末測定まで行うこと）を指すが、これに限定はされない。
【００５６】
３つ目の方法（option 3）では、UE３が当該(U-)PDCCHを受信した後、UE３がCell #2において送信される所定の信号（Synchronization signal, RS, 及びMaster Information Block(MIB)）を検出できている間に端末測定を継続し、検出できなくなった時点で端末測定を中断（中止）する方法である。ここで、UE３が所定の信号を検出できている間とは、UE３がCell #2を検出できている間と言うこともできる。例えば、所定のRS (e.g. CRS)の受信品質（e.g. RSRP）が所定の閾値（e.g. -110 dBm）以上である間などが想定される。この方法では、端末測定の結果の信頼度（精度）が２つ目の方法よりもさらに上がるという利点がある。その一方、LTE-U eNB１がCell #2で所定のRSの送信を中断した後にUE３が端末測定を継続することのないように、端末測定を継続する条件（又は、端末測定を中断する条件）をUE３に正しく設定する必要がある。或いは、端末測定の最大回数又は最長継続期間を予め仕様に規定してもよいし、LTE-U eNB１からUE３にそれらを通知してもよい。
【００５７】
さらにまた、UE３がLTE-Uへの非ライセンス周波数の割り当て可能期間に関する情報（e.g. Duty Cycle Period及びDuty Cycle）を事前に受信していた場合、UE３は当該情報を基に端末測定の継続期間を判断してもよい。例えば、Duty Cycle Period = 100ms、及びDuty Cycle = 40%と指定されていた場合、100ms周期で40msが割り当て可能期間に相当する。UE３は、Cell #2で所定の信号（e.g. RS）を検出した場合、その時点（e.g. サブフレーム番号（subframe #））から40msの間において端末測定を行ってもよい。さらに、UE３は100ms周期で同じ動作を繰り返してもよく、つまり最初の40msの間の端末測定の後の60msの間は端末測定を中断し、次の40msの間に端末測定を再開してもよい。
【００５８】
なお、U-RNTIは、当該無線端末が滞在するセル（serving cell。具体例２では例えばCell #1）において、全ての無線端末３に共通でもよいし、当該セル内の限られた複数の無線端末３（端末グループ）に共通でもよいし、無線端末３個別でもよい。
【００５９】
また、LTE-U eNB１は、非ライセンス周波数（e.g. F2）のセル（e.g. Cell #2）をOnするとき（つまり、所定の信号（e.g. Synchronization signal、RS、及びMIB）の送信を開始するとき）に(U-)PDCCHを送信してもよいし、当該セルがOnになっている間の任意のタイミングで(U-)PDCCHを送信してもよい。
【００６０】
≪具体例２の変形例≫
上述の具体例２の変形例について説明する。具体例２との違いは、非ライセンス周波数（F2）のセル（Cell #2）における端末測定の指示を示すU-RNTIを用いた(U-)PDCCHが、当該端末測定をすべき測定期間に関する情報を含む点である。すなわち、無線基地局（LTE-U eNB）１は、Cell #2をOnすると判断した場合、U-RNTIを用いた(U-)PDCCHをライセンス周波数（e.g. F1）のセル（e.g. Cell #1）において送信することで、UE３に対してCell #2における端末測定を指示する。UE３は、当該(U-)PDCCHを受信すると、それに応答して、Cell #2において端末測定を開始し、指示された測定期間にCell #2における端末測定を継続し、結果をライセンス周波数のセル（e.g. Cell #1）においてLTE-U eNB１に報告する。この方法により、LTE-U eNBが、期待する端末測定の信頼度（精度）のある適切な端末測定の結果を収集することができる。
【００６１】
測定期間に関する情報は、例えば以下を示す：
・端末測定の開始タイミングと終了タイミングの組み合わせ、
・端末測定の終了タイミング、
・端末測定の期間、又は
・LTE-Uへの非ライセンス周波数の割り当て可能期間に関する情報。
【００６２】
割り当て可能期間に関する情報は、上述のように、割り当て可能期間を定義する為の基準期間に相当するDuty Cycle Period (e.g. ms単位) 、及び当該基準期間における割り当て可能期間の割合に相当するDuty Cycle (e.g. %単位)のいずれか又は両方を含んでもよい。すなわち、Duty Cycle Period 及びDuty Cycleは、周期的な割り当て可能期間の周期および長さ（duration）を指定するために使用することができる。
【００６３】
Cell #2における端末測定の方法は、測定期間に関する情報に応じて異なってもよい。例えば、測定期間に関する情報が端末測定の開始タイミングと終了タイミングの組み合わせを示す場合、無線端末３は、これら開始及び終了タイミングに合わせて端末測定を開始および終了してもよい。測定期間に関する情報が端末測定の終了タイミングを示す場合、無線端末３は、当該測定期間に関する情報を含む制御シグナリング（L1/L2制御信号）の受信に応答して端末測定を開始し、指定された終了タイミングで端末測定を終了してもよい。測定期間に関する情報が端末測定の期間を示す場合、無線端末３は、当該制御シグナリングを受信してから当該期間が満了するまで端末測定を継続してもよい。
【００６４】
さらに、上述の測定期間に関する情報において、開始タイミング、終了タイミング、端末測定の期間、及び割り当て可能期間に関する情報は、以下のいずれか、又は組み合わせを用いて定義されてもよい：
・単位時間（ms）、
・サブフレーム番号（subframe #）又はフレーム番号（SFN）、
・サブフレーム数又はフレーム数、
・サブフレームパターン又はフレームパターン、
・サブフレームオフセット又はフレームオフセット、
・絶対時刻、
・相対時刻、及び
・割合（%）。
【００６５】
ここで、単位時間は、ms（ミリ秒）以外、例えばus（マイクロ秒）又はs（秒）でもよい。サブフレーム番号（subframe #）は、例えばLTEでは0番（#0）から9番（#9）まで割り当てられており、各サブフレームの長さは1 msである。フレーム番号は、例えばLTEにおけるSystem Frame Number (SFN)であり、SFNは0番（#0）から1023番（#1023）まで割り当てられている。尚、各フレームは、10サブフレーム（10 ms）で構成される。サブフレームオフセット又はフレームオフセットは、サブフレーム又はフレームの先頭（つまり #0）を基準に当該オフセットの値だけずれた時点を指定し、例えば端末測定の開始タイミングを指定する場合に有効である。
【００６６】
サブフレームパターン又はフレームパターンは、端末測定を行うサブフレーム又はフレームを示し、例えば10個のサブフレーム又はフレームのそれぞれを示すビット列（bitmap）で表すことができる。例えばビット列のうち端末測定が行われるべきサブフレーム又はフレームに対応するビットを1（又は0）とし、それ以外を0（又は1）としてもよい。
【００６７】
絶対時刻は、例えばGPS（Global Positioning System）等のGNSS（Global Navigation Satellite System）により取得される時刻情報であり、例えば端末測定の開始タイミング若しくは終了タイミング又は両方を指定するために使用されてもよい。相対時刻は、当該測定期間に関する情報を含む制御シグナリングを受信した時点（サブフレーム）又は制御シグナリングを検出（復元）できた時点からの経過時間を表してもよく、例えば端末測定を行う期間を指定するために使用されてもよい。
【００６８】
割合は、例えば、LTE-Uへの非ライセンス周波数の割り当て可能期間に関する情報に含まれるDuty Cycleを示すために使用される。すなわち、割合は、周期的な割り当て可能期間の長さ（duration）を指定するために使用することができる。割り当て可能期間に対する割合は、パーセンテージ（％）以外、例えば小数値（0.01, 0.02, ..., 010, .., 0.99, 1.00）によって定義されてもよい。また、Duty Cycle Periodの値の最大値がMaxDutyCycleである場合、割合は、割合（つまり、Duty Cycle相当）の値は、整数値（1, 2, ...., MaxDutyCycle）で表されてもよい。この場合には、割合の値は、実質的にはDuty CycleにおけるON periodの長さ、つまりLTE-Uへの非ライセンス周波数の割り当て可能期間の長さを意味する。
【００６９】
尚、これらは例であり、これらの例示されたパラメータは、その他の使用法で使用されてもよい。さらに又はこれらに代えて、測定期間に関する情報は、その他のパラメータを含んでもよい。
【００７０】
さらに具体的には、測定期間に関する情報が端末測定の開始タイミング若しくは終了タイミング又はこれら両方を示す場合、開始タイミング及び終了タイミングの各々は単位時間（ms）で表されてもよい。例えば、無線基地局１は、開始タイミング及び終了タイミングを指定する制御情報（のフィールド）にそれぞれ”xx”及び”yy”を指定してもよく、無線端末３は当該情報を含む制御シグナリングを受信した時点（つまり、受信した時刻、又は受信したことを検知した時刻）から、xx (ms)後に端末測定を開始し、yy (ms)後に端末測定を終了してもよい。これに代えて、開始タイミング及び終了タイミングの各々がサブフレーム番号で表される場合、無線基地局１は、例えば開始タイミング及び終了タイミングを指定する制御情報（のフィールド）にそれぞれ”n”及び“m”を指定してもよく、無線端末３は当該情報を含む制御シグナリングを受信した時点（つまり、受信したサブフレーム、又は受信したことを検知したサブフレーム）より時間的に後で、直近のsubframe #nから端末測定を開始し、subframe #mまで継続して端末測定を行ってもよい。サブフレーム番号の代わりに、フレーム番号を用いる場合も同様である。これらに代えて、開始タイミング及び終了タイミングの各々が絶対時刻で表される場合、無線基地局１は、開始タイミング又は終了タイミングを示す絶対時刻を指定してもよく、無線端末は当該絶対時刻に端末測定を開始又は終了してもよい。
【００７１】
一方、測定期間に関する情報が端末測定の期間を示す場合、当該期間は単位時間（ms）で表されてもよい。例えば、無線基地局１は、当該期間を指定する制御情報（のフィールド）に”zz”を指定すればよく、無線端末３は当該情報を含む制御シグナリングを受信した時点（つまり、受信した時刻、又は受信したことを検知した時刻）から、zz (ms)の間に端末測定を行ってもよい。これに代えて、端末測定の期間がサブフレーム数で表される場合、無線基地局１は、当該期間を指定する制御情報（のフィールド）に”N”を指定すればよく、無線端末３は当該情報を含む制御シグナリングを受信した時点（つまり、受信したサブフレーム、又は受信したことを検知したサブフレーム）からNサブフレームの間に端末測定を行ってもよい。これらに代えて、端末測定の期間がサブフレームパターンで表される場合、無線基地局１は、当該期間を指定する制御情報（のフィールド）に10 bitsのbitmap（例えば”0000001111”）を指定してもよく、無線端末３は当該情報を含む制御シグナリングを受信した時点（つまり、受信したサブフレーム、又は、受信したことを検知したサブフレーム）を基準にして当該bitmapで”1”に設定されているサブフレームに対応するsubfame #において端末測定を行う。例えば、subframe #2で制御シグナリングを受信した場合、上記例では10bit-bitmapのLSB（左端）がsubframe #2に相当し、以降は順にsubframe #3, 4, 5, 6, 7, 8, 9, 0, 1に対応する。或いは、予めbitmapの各bitをLSBからsubframe #0, 1, 2, ... , 9に固定的に割り当ててもよく、上記例ではsubframe #6, 7, 8, 9が測定期間であることを示すようにしてもよい。
【００７２】
さらに、端末測定の期間を指定するためにサブフレームパターンと併せてサブフレームオフセット（start offset）が利用されてもよい。例えば、無線基地局１は、上述の10bit-bitmapのLSB（左端）がどのsubframe番号（subframe #）に相当するかを、サブフレームオフセットで指定してもよい。上述の10bit-bitmapの例において、start offset = 5と指定した場合、LSBがsubframe #5に対応することを示し、以降は順にsubframe #6, 7, 8, 9, 0, 1, 2, 3, 4に対応する。尚、サブフレームパターンは、他のbit数のbitmap（e.g. 40bitsのbitmapで連続する40 subframeに相当）で表されてもよいし、他のデータ形式（例えば、端末測定期間に対応するsubframe #の列挙）で表されてもよい。一方、サブフレームパターンの代わりに、フレームパターンを用いる場合も同様であり、併せてフレームオフセットを利用してもよい。フレームパターンもbitmapで表されてもよいし、他のデータ形式で表されてもよい。
【００７３】
尚、上記の例における測定期間に関する情報と当該情報を表すための具体的なデータ形式は、あくまで例であり、その他の組み合わせでもよいことは言うまでもない。
【００７４】
≪具体例３≫
第１の実施形態における具体例３について説明する。具体例２との違いは、非ライセンス周波数（F2）における端末測定の指示を送信する制御シグナリングとして、下りリンク共有チャネル（Downlink Shared CHannel: DL-SCH）で送信されるMedia Access Control (MAC) layerの制御情報（MAC Control Element: MAC CE）を含むL2制御信号（MAC signaling）が使用される点である。そして、当該制御シグナリングでは、Unlicensed Band Measurement MAC CE（又は、Unlicensed Frequency Measurement MAC CE、Unlicensed Spectrum Measurement MAC CE、LTE-U MAC CE、など他の名称でもよい）が非ライセンス周波数における端末測定の指示の為に規定された制御情報として使用される。なお、当該Unlicensed Band Measurement MAC CEに対応するMAC Sub headerの生成および復元に用いられる識別子（Logical Channel Identity: LCID）の値が新たに規定されてもよい（例えば、LCID Index = 11xxx (e.g. 11001) for DL-SCH）。
【００７５】
具体例３では、無線端末（UE）３が当該制御シグナリング（MAC signaling）を受信し、Unlicensed Band Measurement MAC CEの復元（検出）に成功した場合、非ライセンス周波数（F2）のセル（Cell #2）における端末測定を行うよう指示されたと認識する。これを実現する為に、無線基地局（LTE-U eNB）１が予め非ライセンス周波数（F2）のセル（Cell #2）に対する端末測定に必要な設定情報（Measurement Configuration: MeasConfig）を、ライセンス周波数（F1）のセル（Cell #1）において例えばRRC signalingで無線端末（UE）３に通知しておけばよい。
【００７６】
さらに、Unlicensed Band Measurement MAC CEは、非ライセンス周波数（e.g. F2）における端末測定の測定期間に関する情報を含む。ここで、測定期間に関する情報は、具体例２の変形例で説明されたものと同様でもよいし、それ以外でもよい。
【００７７】
図６は、具体例３における非ライセンス周波数（F2）のセル（Cell #2）における無線端末（UE）３による端末測定を説明するための図である。具体例２に関する図５と同様に、無線基地局（LTE-U eNB）１が、他のシステムに対するセンシング結果などを基にダイナミックにCell #2の運用を切り替えることを想定する。LTE-U eNB１は、Cell #2をOnすると判断した場合、上述のUnlicensed Band Measurement MAC CEを含んだ制御シグナリング（MAC signaling）をライセンス周波数のセル（e.g. Cell #1）において送信することで、UE３に対してCell #2における端末測定を指示する。UE３は、当該制御シグナリングを受信すると、それに応答して、Cell #2において端末測定を行う。ここでは、当該制御シグナリングに測定期間に関する情報が含まれており、UE３はそれに従って端末測定を行う。
【００７８】
具体例２の変形例での説明と同様に、Cell #2における端末測定の方法は、測定期間に関する情報に応じて異なってもよい。ただし、具体例３では、制御シグナリング（MAC signaling）が具体例２の変形例と異なる為、この違いによって異なる動作となる点がある。例えば、端末測定の開始タイミングが明示的に指定されない場合、端末測定は、当該制御シグナリングで送信される制御情報（Unlicensed Band Measurement MAC CE）をUE３において正しく検出（復号）できたことに応答して開始されてもよい。あるいは、端末測定の測定期間（測定可能期間）の始点が、当該制御シグナリングで送信される制御情報（Unlicensed Band Measurement MAC CE）をUE３において正しく検出（復号）できた時点とされてもよい。
【００７９】
≪具体例４≫
第１の実施形態における具体例４について説明する。具体例１〜３との違いは、無線端末（UE）３が非ライセンス周波数（F2）（のセル（Cell #2））における端末測定を予め指定された通りに行う点である。具体的には、無線基地局（LTE-U eNB）１が、無線端末（UE）３に予め非ライセンス周波数（F2）のセル（Cell #2）における端末測定に必要な設定情報（Measurement Configuration: MeasConfig）をRRC signaling等で送信する。さらに、LTE-U eNB１は、当該MeasConfigに、端末測定に使用する端末測定ギャップの設定情報（Measurement Gap Configuration: MeasGapConfig）を含める。
【００８０】
具体例４では、具体例２と同様に、非ライセンス周波数（F2）における端末測定の指示を送信する制御シグナリングとして、下りリンクの物理制御チャネル（PDCCHまたは上述のU-PDCCH）で送信されるL1/L2制御信号が使用される。そして、当該制御シグナリング（L1/L2制御信号）は、上述のU-RNTIを用いて送信される。さらに、具体例４では、当該制御シグナリングは、端末測定ギャップの実行指示（つまり、端末測定ギャップの活性化（Activation）の指示）を含む。端末測定ギャップの実行指示は、測定期間に関する情報に対応する。端末測定ギャップの実行指示は、例えば、予め通知された（指定された）MeasGapConfigに従って端末測定を実行することを指示してもよい。さらに、LTE-U eNB１が予め複数のMeasGapConfig（つまり端末測定ギャップのパターン）をUE３に通知している場合、端末測定ギャップの実行指示は、どのMeasGapConfigに従って端末測定を実行するかを示してもよい。
【００８１】
図７は、具体例４における非ライセンス周波数（F2）のセル（Cell #2）における無線端末（UE）３による端末測定を説明するための図である。具体例２及び３に関する図５及び図６と同様に、無線基地局（LTE-U eNB）１が、他のシステムに対するセンシング結果などを基にダイナミックにCell #2の運用を切り替えることを想定する。LTE-U eNB１は、まず、ライセンス周波数のセル（e.g. Cell #1）において、MeasGapConfigを含むMeasConfigをUE３に送信する。LTE-U eNB１は、Cell #2をOnすると判断した場合、上述のU-RNTIを用いた(U-)PDCCHで送信される制御シグナリング（L1/L2制御信号）をライセンス周波数のセル（e.g. Cell #1）において送信することで、UE３に対してCell #2における端末測定を指示する。UE３は、当該制御シグナリングを受信すると、それに応答し、MeasGapConfigで指定されるMeasurement Gapに従ってCell #2において端末測定を行う。
【００８２】
図７では、例として、端末測定ギャップの長さ（Measurement Gap Length）が6 msの場合を示している。UE３は、制御シグナリング（(U-)PDCCH）を受信し、Cell #2の端末測定の指示を受けたことを認識すると、すぐに端末測定ギャップを有効にし（Activation）、端末測定を開始する。そして、UE３は、Measurement Gap Lengthに従って6 msの間Cell #2の端末測定を実行する。尚、端末測定の対象は、１つの非ライセンス周波数（F2）における複数のセルであってもよいし、複数の非ライセンス周波数における複数のセルであってもよい。
【００８３】
これにより、非ライセンス周波数（F2）のセル（Cell #2）における端末測定に必要な信頼度（精度）を保ちつつ、ダイナミックに端末測定を実行することができる。
【００８４】
尚、図７では、無線端末３が制御シグナリングを受信する毎に端末測定ギャップを用いた１回の（つまり、1回の端末測定ギャップにおける端末測定ギャップの長さにわたる）端末測定（one-shot UE measurement with measurement gap）を実行する例を示した。しかしながら、無線端末３は、制御シグナリングを受信する毎に、端末測定ギャップを用いた端末測定（multiple UE measurements with periodic measurement gap）を所定の周期で複数回実行してもよい。例えば、無線基地局１は、端末測定ギャップを用いた端末測定を何回行うか、又はどの期間に亘って端末測定を行うか、などを無線端末３に予め通知しておいてもよい。
【００８５】
さらに、無線基地局１は、複数パターンの端末測定ギャップの設定情報（MeasGapConfig）と当該複数パターンの各々を特定するためのインデックスを無線端末３に予め通知しておき、どのパターンの端末測定ギャップを実行するべきかを対応するインデックスを用いて制御シグナリング（(U-)PDCCH）において指定してもよい。
【００８６】
さらに、無線基地局１は、端末測定ギャップの設定情報（MeasGapConfig）を用いて、無線端末３が制御シグナリング（(U-)PDCCH）を受信してから端末測定ギャップを実行するまでの待ち時間（Activation Time）、又は端末測定ギャップの実行における開始オフセット（GapOffset）を無線端末３に通知してもよい。
【００８７】
さらに、無線基地局１は、制御シグナリングにて、具体例２の変形例と同様の測定期間に関する情報を指定してもよい。例えば、端末測定の開始タイミング若しくは終了タイミング又はこれら両方が指定される場合、端末測定の開始及び終了タイミングは、端末測定ギャップの開始及び終了タイミングをそれぞれ示してもよい。また、端末測定の期間が指定される場合、当該期間は端末測定ギャップが有効な（つまり、端末測定ギャップを用いた端末測定を行う）期間を示してもよい。
【００８８】
≪具体例４の変形例≫
上述の具体例４の変形例について説明する。具体例４との違いは、非ライセンス周波数（F2）のセル（Cell #2）における端末測定の指示を示す制御シグナリングが、L2制御信号（MAC signaling）である点である。例えば、具体例３で例示したUnlicensed Band Measurement MAC CEに、具体例４で説明した(U-)PDCCHで送信される情報を追加することで実現することができる。その他の詳細は具体例４と同様なので説明を省略する。
【００８９】
尚、上述の端末測定は、例えば参照信号の受信品質の瞬時測定値の算出でもよいし、第一次測定（L1 filtering）を行うことでもよいし、第二次測定（L3 filtering）を行うことでもよい。さらに、以降の説明における端末測定の内容は、上述した端末測定の内容の具体例と異なってもよい。
【００９０】
＜第２の実施形態＞
本発明の第２の実施形態について説明する。本実施形態では、第１の実施形態で説明された非ライセンス周波数のセルにおける端末測定が行われる前に、当該端末測定の指示を行う対象となる無線端末（UE）３の選択を無線基地局（LTE-U eNB）１が行う。具体的には、図８を用いて説明する。図８では、LTE-U eNB１が、ライセンス周波数（F1）におけるセル（Cell #1）と非ライセンス周波数（F2）におけるセル（Cell #2）を管理する場合を想定する。本実施形態では、無線端末（UE）３は、非ライセンス周波数のセルへの近接（proximity）を検出する検出機能と、検出できた場合に結果を無線基地局に報告する報告機能を有する。尚、当該非ライセンス周波数のセルは、当該無線端末にとっては非帰属セル（non-serving cell）であることを想定して以降の説明を行うが、帰属セル（serving cell, 又はconfigured cell）であってもよい。なお、無線端末３は図８においてUE #1と表示されている。
【００９１】
図８において、まずUE３は、帰属セル（serving cell）のCell #1においてLTE-U eNB１と無線接続を確立し（RRC Connection Establishment）、コアネットワーク（EPC）との間でベアラ（e.g. EPS bearer, E-RAB）の確立を行う（図示なし）。この後、例えばユーザデータの送受信が可能な状態になる。LTE-U eNB１は、非ライセンス周波数（e.g. F2）における第１のセンシングを行う（Perform first channel sensing、S301）。ここで、第１のセンシングは、レーダーシステムに対するCAC、WLAN等の他のシステムに対するCCA、若しくは他のオペレータ（サービス事業者）によるLTE-Uに対するCCA、又はこれらのうち２つ若しくは全てを含む。
【００９２】
LTE-U eNB１は、第１のセンシング（S301）により非ライセンス周波数（e.g. F2）が使用可能であると判定すると、UE３に対してCell #1で、当該非ライセンス周波数におけるセルへの近接（proximity）の検出に関する通知を行う（Proximity configuration for unlicensed frequency、S302）。UE３は、当該通知を受信すると（つまり当該通知に応答して）、非ライセンス周波数（e.g. F2）におけるセル（e.g. Cell #2）への近接の検出を試みる（つまり当該検出機能を有効にする（活性化する））。UE３は、非ライセンス周波数において非帰属セルを検出できた場合（Proximity detection on unlicensed frequency (cell)、S303）、当該検出の結果をLTE-U eNBに報告する（Proximity indication for unlicensed frequency、S304）。
【００９３】
ここで、非ライセンス周波数のセルへの近接の検出に関する通知は、例えば対象となる１つ以上の非ラインセンス周波数の情報、及び当該非ライセンス周波数におけるセルの情報の少なくともいずれかを含んでもよい。非ライセンス周波数の情報は、例えば以下のいずれか又は組み合わせで示されてもよい：
・LTEの周波数識別子（e.g. EARFCN）、
・非ライセンス周波数識別子（e.g. Unlicensed frequency index）、及び
・（中心）周波数（e.g. carrier frequency）。
非ライセンス周波数識別子は、LTE-Uで使用可能な非ライセンス周波数に対して新たに番号又はインデックスを付与して定義されてもよい。
【００９４】
非ライセンス周波数におけるセルの情報は、例えば以下のいずれか又は組み合わせで示されてもよい：
・セル識別子（e.g. PCI、ECGI、又は Virtual Cell ID）、及び
・非ライセンス周波数セル識別子（e.g. Unlicensed Cell ID）。
Virtual Cell IDは、例えば当該非ライセンス周波数のセルにて参照信号（Reference Signal）の送信などに使用されるスクランブリング・コード識別子（e.g. Scrambling Identity、又は Scrambling Code ID）であってもよい。また、非ライセンス周波数セル識別子は、非ライセンス周波数のセルに対して新たにセル番号又はセルインデックスを付与して定義されてもよい。
【００９５】
さらにまた、当該通知は、その他のネットワーク識別子（e.g. PLMN ID、TAI、又はTAC）を含んでもよい。当該通知がこれらのネットワーク識別子を含む場合、無線端末３は指定されたネットワーク識別子をセルにおいて確認できたことに基づいて当該セルがセルへの近接の検出の対象であると判定してもよい。
【００９６】
図８に戻り説明を続ける。LTE-eNB１は、当該報告を基に、UE３に非ライセンス周波数（e.g. F2）のセル（e.g. Cell2）における端末測定を指示することを決定する（Decision on UE measurement in unlicensed frequency for UE #1、S305）。そして、LTE-eNB１及びUE３は、第１の実施形態と同様に、非ライセンス周波数に対する端末測定報告に関する手順を実行する（Measurement Configuration, Instruction and Reporting for Unlicensed Frequency、S306）。
【００９７】
図８に示されるように、本実施形態では、無線基地局（LTE-U eNB）１は、制御シグナリングを送信することに先立って、非ライセンス周波数（e.g. F2）での非帰属セルとの近接の検出結果を無線端末（UE）３から受信し、当該近接の検出結果に基づいて（又は当該近接の検出結果に応答して）無線端末（UE）３への制御シグナリングの送信を決定する。よって、例えば、無線基地局（LTE-U eNB）１は、非ライセンス周波数（e.g. F2）のセル（e.g. Cell2）との近接の検出結果に基づいて、LTE-Uによるスループット改善効果が期待できるUEを判定することができる。したがって、無線基地局（LTE-U eNB）１は、例えば、非ライセンス周波数におけるセルを使用したLTE-Uを無線端末（UE）３に許可するか否かを判定する為の端末測定報告を、LTE-Uによるスループット改善効果が期待できるUE３のみに選択的に行わせることができる。これにより、端末測定報告を行わなくてもよいUE３に関して、消費電力の削減及び端末測定報告に伴う制御情報の削減が期待できる。これは特に、非ライセンス周波数におけるセルの運用がダイナミックに切り替わる場合、つまりセルのOn／Offが不定期に切り替わるような場合に有効である。
【００９８】
ここで、上述の無線端末（UE）による非ライセンス周波数におけるセルへの近接（proximity）の検出は、例えば、当該セルにおいて無線基地局（LTE-U eNB）１から送信されるセル特定信号を検出することを含む。セル特定信号は、少なくとも既知シンボル及び既知系列のいずれか一方を包含する。セル特定信号は、例えば、同期信号（Synchronization Signal。LTEでは、Primary SS: PSSとSecondary SS: SSSがある）又は参照信号（Reference Signal: RS）でもよいし、当該セルにおいて報知される基本情報（Master Information Block: MIB）又はシステム情報（System Information Block: SIB。例えばSIB1若しくはSIB2、又はLTE-U用に規定されたSIBx）でもよい。この場合、無線端末３は、例えば当該セル特定信号（e.g. RS）の受信品質（e.g. RSRP, RSRQ, RSSI, SINR, 又はCQI）が所定の閾値以上か否か（または閾値より大きいか否か）に基づいて当該非ライセンス周波数のセルへの近接を検出してもよい。これに代えて、無線端末３は、当該セルにおいて報知される基本情報（MIB）又はシステム情報（SIB）を正しく受信したか否かに基づいて、当該セルへの近接を検出してもよい。なお、参照信号は、例えばセル固有参照信号（Cell Specific RS: CRS）、通信路状態情報（Channel State Information: CSI）の測定報告用の参照信号（CSI RS）、及びセル検出用の参照信号（Discovery RS: DRS）のうち少なくともいずれかを含んでもよい。DRSは、例えばPSS、SSS、CRS、及びCSI RSのうち２つ以上の組み合わせであってもよいし、セル検出のために新たに規定された参照信号であってもよい。
【００９９】
なお、無線端末（UE）３は、無線基地局（LTE-U eNB）１から送信される非ライセンス周波数におけるセルへの近接の検出に関する通知を受けた場合、当該非ライセンス周波数における検出を行うように設定されたと考えてもよいし（UE considers itself to be configured to perform proximity check for unlicensed frequency）、当該非ライセンス周波数におけるセルへの近接を検出したことを示す通知（proximity indication）を行うように設定されたと考えてもよい（UE considers itself to be configured to provide proximity indication for unlicensed frequency）。なお、”proximity check”は”proximity estimation”とも呼ばれる。さらに、無線基地局（LTE-U eNB）１は、当該通知において、明示的に当該検出を行うように指示してもよいし、当該検出の対象となる非ライセンス周波数に関する情報又は当該非ライセンス周波数におけるセルに関する情報を当該通知に含めることによって黙示的に当該検出を行うように指示してもよい。
【０１００】
また、非ライセンス周波数におけるセルへの近接（proximity）の検出に関する通知は、例えばRRC signaling（message）による個別制御情報として送信されてもよい。この場合、当該通知に対応するRRC messageは、RRC Connection Reconfiguration messageであってもよく、そこに含まれるRRC information element (IE)としてReportProximityUnlicensedConfig IEが新たに定義されてもよい。当該IEは、非ライセンス周波数のセルへの近接の検出の機能を有効にする情報（proximityIndicationUnlicensedをenabledに設定）と共に、対象の非ライセンス周波数の情報を含む。さらに、当該RRC messageは、非ライセンス周波数におけるセルの識別情報、例えば物理セル識別子（Physical Cell Identifier: PCI）又はグローバルセル識別子（EUTRAN Cell Global ID: ECGI）、を送信してもよい。尚、当該通知は、RRC signalingの代わりに報知情報（System Information: SI, System Information Block: SIB）で送信されてもよい。
【０１０１】
一方、非ライセンス周波数におけるセルへの近接を検出したことを示す通知（proximity indication）もRRC signaling（message）で送信されてもよい。この場合、当該通知に対応するRRC messageとして、ProximityIndicationUnlicensed messageが新たに規定されてもよい。当該messageは、非ライセンス周波数のセルへの近接の検出の結果を示すIEとしてProximityIndicationUnlicensed IEを含む。当該IEは、検出したことを示す情報と、対象となる非ライセンス周波数の情報を含んでもよい。当該IEは、検出された非ライセンス周波数におけるセルの識別情報（e.g. PCI又はECGI）を含んでもよい。
【０１０２】
なお、セルへの近接（proximity）の検出は、無線端末３が対象とする非ライセンス周波数において１つ以上のセルの近接（エリア・範囲）に入ったことを検出することに相当するが、無線端末３がセルへの近接の検出を開始する（試みる）前から既に当該セルの近接に入っていた場合も本実施形態の適用範囲に含まれる。また、セルへの近接（proximity）の検出は、セルへの近接の推定（Estimation）、セルの利用可能性（Availability）の検出、又は単にセルの検出（Discovery）と呼ぶ（考える）こともできる。
【０１０３】
＜第３の実施形態＞
本発明の第３の実施形態について説明する。図９は、本実施形態を含む複数の実施形態が対象とするLTE-Uの無線通信システムと他のシステムの構成例を示す図である。図１Ａ及び図１Ｂとの主な違いは、無線基地局（eNB）６及び７並びに無線端末（UE）８がDual Connectivity (DC)の機能を有する点である（非特許文献５）。Dual Connectivityは、メイン基地局（マスター基地局、Master eNB: MeNB）６とサブ基地局（セカンダリ基地局、Secondary eNB: SeNB）７によって提供される（つまり、管理される）それぞれの無線リソース（つまり、セル又はキャリア）を同時に使用してUE８が通信を行う処理である。図９の例では、MeNB６とSeNB７がX2インターフェースを介して接続され、MeNB６がライセンス周波数F1のCell #1を管理し、SeNB７がライセンス周波数F2のCell #2と非ライセンス周波数F3のCell #3を管理する。尚、MeNB６及びSeNB７は、DCを行わないUEにとっては通常のLTE eNBとして動作し、それぞれCell #1及びCell #2において独立してUEと通信が可能である。
【０１０４】
次に、Dual Connectivityに関して、簡単に説明する。UE８は、MeNB６とSeNB７によって管理される周波数が異なる複数のセルを同時に帰属セル（serving cell）として使用するキャリアアグリゲーション（Carrier Aggregation: CA）を行うことができる。MeNB６が管理するserving cellの集合はMaster Cell Group (MCG)と呼ばれ、SeNB７が管理するserving cellの集合はSecondary Cell Group (SCG)と呼ばれる。MCGは、少なくともPrimary Cell (PCell)を含み、更に１つ以上のSecondary Cell (SCell)を含んでもよい。SCGは、少なくともPrimary SCell (pSCell又はPSCellと略記)を含み、更に１つ以上のSCellを含んでもよい。pSCellは、少なくとも上りリンクの物理制御チャネル（Physical Uplink Control CHannel: PUCCH）が割り当てられており、SCGの中でPCellのような役割を持つセルである。
【０１０５】
MeNB６は、DCを実行するUE８に対するコアネットワーク（Evolved Packet Core: EPC）のモビリティ管理装置（Mobility Management Entity: MME）との接続（S1-MME）を保持する。その為、MeNB６はUE８のモビリティ管理ポイント（又はmobility anchor）と呼ぶことができる。従って、Control Plane (CP)の制御情報は、MCGにおいてMeNB６とUE８の間で送受信される。SeNB７のSCGに関連するCPの制御情報は、SeNB７とMeNB６の間（X2インターフェース）で送受信され、更にMCGにおいてMeNB６とUE８の間で送受信される。例えば、SCGのRadio Resource Configuration (e.g. RadioResoureConfigDedicated IE)は、SCG-Configurationと呼ばれるinter-node RRC messageでSeNB７からMeNB６へ送信され、RRC Connection Reconfiguration messageでMeNB６からUE８へ送信される。一方、UE８の端末能力情報（UE-EUTRA capabilities IE）、SCGのセキュリティ情報（e.g. S-KeNB）、MCGのRadio Resource Configuration (e.g. RadioResourceConfigDedicated IE)などは、SCG-ConfigInfoと呼ばれるinter-node RRC messageでMeNB６からSeNB７へ送信される。
【０１０６】
DCでは、User Plane (UP)のベアラ設定の観点から3つの構成がサポートされている。1つ目はMCG bearerである。MCG bearer は、MeNB６のリソース（e.g. MCG）のみを使用する為に、無線プロトコルがMeNB６のみに配置されているベアラであり、DCを行わない通常のLTEと同様に、ゲートウェイ装置（S-GW又はP-GW）とMeNB６の間で接続（S1-U）が保持される。2つ目はSCG bearerである。SCG bearerは、SeNB７のリソース（e.g. SCG）のみを使用する為に、無線プロトコルがSeNB７のみに配置されているベアラであり、ゲートウェイ装置（S-GW又はP-GW）とSeNB７の間で接続（S1-U）が保持される。3つ目はSplit bearerである。Split bearer は、MeNB６とSeNB７の両方のリソース（e.g. MCGとSCG）を使用する為に、無線プロトコルがMeNB６とSeNB７の両方に配置されているベアラである。Split bearerでは、ゲートウェイ装置（S-GW又はP-GW）とMeNB６の間で接続（S1-U）が保持され、例えばSCGで送信されるUP data（e.g. PDCP PDU）は、X2を介してMeNB６からSeNB７へ転送される。
【０１０７】
次に、本実施形態の詳細を説明する。図９のDCの例において、SeNB７の非ライセンス周波数F3のCell #3をSeNB７のライセンス周波数F2のCell #2とCarrier AggregationしてLAAを実現しようとした場合、上述の第１及び第２の実施形態に示した技術だけでは課題が解決されない可能性がある。なぜなら、SeNB７は、DCが行われる際にCPの制御情報（e.g. RRC, NAS）を無線端末（UE８）との間で直接送受信することができないからである。端末測定の為の設定情報（MeasConfig）及び端末測定結果の報告（Measurement report）はCPの制御情報に相当する。そこで、図１０を用いてDCにおける更なる課題を解決するための制御手順を説明する。図１０は、第３の実施形態における無線基地局（MeNB６, SeNB７）と無線端末（UE）８の動作を示すシーケンス図である。なお、無線端末（UE）８は図１０においてUE #2と表示されている。
【０１０８】
まず、UE８はMeNB６のCell #1をPCellとして無線接続（RRC Connection）を確立し、SeNB７のCell #2をpSCellとして使用できるようにDual Connectivity (DC)に必要な設定を行う（Dual Connectivity Configuration、S401）。そして、MeNB６又はSeNB７がUE８に非ライセンス周波数（e.g. F3）における端末測定を行わせるか否かを決定する（Decision on UE measurement in unlicensed frequency for UE #2、S402）。当該端末測定を行わせると決定された場合、MeNB６は、Cell #1において、例えばRRC Connection Reconfiguration messageを用いて、非ライセンス周波数（e.g. F3）における端末測定に必要な設定情報（Measurement configuration: MeasConfig）をUE８に送信する（Measurement Configuration for Unlicensed Frequency (e.g. Cell #3 on F3)、S403）。尚、当該Measurement configurationは、SeNB７が生成してMeNB６に通知してもよいし、MeNB６が生成してもよい。MeNB６はUE８から当該設定情報の受信（及び当該設定情報に従った設定変更（reconfiguration））の完了が報告されると、SeNB７に当該完了の通知を行ってもよい（Measurement Configuration Complete、S404）。ここで、S404の通知は、inter-node RRC containerのSCG-ConfigInfoに含めて送信されてもよい。さらに、これはX2インタフェース（X2AP）のSeNB RECONFIGURATION COMPLETE messageにて送信されてもよい。
【０１０９】
そして、SeNB７は、非ライセンス周波数のセル（e.g. Cell #3 on F3）における端末測定の指示を、Cell #2で所定の制御シグナリングによって行う（Measurement Instruction for Unlicensed Frequency (e.g. Cell #3 on F3)、S405）。ここで、当該端末測定の指示は、UE８がUnlicensed Frequency（例えばF3のCell #3）における端末測定を、どのタイミングで測定すればよいかを示す（つまり端末測定を実行すべき）測定タイミング、及びどの期間で測定すればよいかを示す（つまり端末測定を実行することが妥当な）測定期間、の少なくともいずれかに関連づけられる。言い換えると、当該端末測定の指示（S405）は、UE８によるUnlicensed Frequency（例えばF3のCell #3）における端末測定の測定タイミング及び測定期間（測定可能な期間）のうち少なくとも一方を明示的に又は黙示的に示す。尚、測定タイミング及び測定期間の詳細については第１の実施形態で説明したものと同様であるから、説明を省略する。ここで、S405の制御シグナリングは、MeNB６が送信してもよい。この場合、SeNB７が当該制御シグナリングにおいて送信されるべき情報の少なくとも一部をMeNB６に送信し、MeNB６が当該情報をUE８へ送信してもよいし、MeNB６自身が制御シグナリングにおいて送信されるべき情報を生成してもよい。
【０１１０】
UE８は、当該制御シグナリング（S405）に応答して、つまり当該端末測定の指示に従い、Cell #3において端末測定を行い（Measurement、S407）、当該端末測定の結果をCell #1においてMeNBに報告する（Measurement Reporting for Unlicensed Frequency (e.g. Cell #3 on F3)、S408）。UE８は、例えば、端末測定（S407）において、SeNB７からCell #3にて送信される参照信号（S406）の受信強度又は受信品質を測定してもよい。端末測定及び端末測定報告は、非ライセンス周波数（F3）のセル（Cell #3）だけでなく、F3の他のセル、他の非ライセンス周波数、又はライセンス周波数に対して行われてもよい。また、端末測定の詳細は実施形態１で説明したものと同様であるから、説明を省略する。
【０１１１】
一方、MeNB６又はSeNB７は、報告された端末測定の結果を基に、UE８とのCell #3での通信（例えば下りリンクのデータ送信）を行うか否かを判定する。SeNB７によって管理されるCell #3においてUE８との通信を行うとMeNB６又はSeNB７が判定した場合（Decision on LTE-U for UE #2 in Cell #3、S409）、MeNB６はCell #1にてCell #3の無線リソース設定情報（Radio Resource Configuration, e.g. RadioResourceConfigCommon, RadioResourceConfigDedicated）をUE８に送信する（Radio Resource Configuration for Cell #3、S410）。このときMeNB６は、例えばRRC Connection Reconfiguration messageを使用してもよい。当該Cell #3の無線リソース設定情報は、SeNB７が生成してSCG-ConfigurationとしてMeNB６に転送し、MeNB６が当該無線リソース設定情報をUE８に送信してもよい。そして、SeNB７がCell #2とCell #3をCarrier AggregationするLAAにより、UE８に例えばユーザデータ（DL data）を送信する（不図示）。
【０１１２】
以上の手順により、Dual Connectivityを実行中でも、SeNB７により管理される非ライセンス周波数（のセル）におけるLTE-Uが許可される無線端末３を適切に判定することができる。その結果、LTEの無線通信システムの全体の特性、例えばシステムスループットの改善が期待できる。
【０１１３】
≪具体例５≫
第３の実施形態における具体例５について説明する。具体例５では、非ライセンス周波数（e.g. F3）における端末測定をUE８に行わせるか否かをMeNB６又はSeNB７において決定する手順について説明する。
【０１１４】
図１１は、図１０のStep S402 ”Decision on UE measurement in unlicensed frequency for UE #2” における、情報（X2 message）の交換を含むMeNB６及びSeNB７の動作の例を示す図である。MeNB６及びSeNB７の動作には2つのオプションがある。1つ目のオプション（Option 1）では、非ライセンス周波数（e.g. F3）における端末測定をUE８に行わせるか否かをSeNB７が決定する（Decision on UE measurement、S501）。SeNB７は、当該端末測定を行わせると決定した場合、対象とする非ライセンス周波数の情報をMeNB６に通知する（Available Unlicensed Frequency Information、S502）。MeNB６は、当該通知（S502）に対して応答してもよい（Available Unlicensed Frequency Information Response、S503）。
【０１１５】
一方、2つ目のオプション（Option 2）では、対象とされる非ライセンス周波数に関する情報をSeNB７がMeNB６に通知し（Available Unlicensed Frequency Information、S505）、MeNB６が当該決定を行う（S506）。そして、MeNB６は当該決定の結果をSeNB７に送信する（Available Unlicensed Frequency Information Response、S507）。ここで、当該決定の結果は、UE８に対して非ライセンス周波数における端末測定を行わせることを示す情報を含んでもよいし、単純に肯定応答（Acknowledgement: ACK）を含んでもよい。上述の対象とする非ライセンス周波数に関する情報は、当該非ライセンス周波数の情報（e.g. EARFCN、Unlicensed frequency index、又はcarrier frequency）でもよいし、当該非ライセンス周波数におけるセルの情報（e.g. PCI、ECGI、Virtual Cell ID、又はUnlicensed Cell ID）でもよいし、それらの組み合わせでもよい。また、S502及びS505における非ライセンス周波数に関する情報は、X2APのENB CONFIGURATION UPDATE messageで送信されてもよい。特に、当該情報は、当該messageのServed Cells To Add IE又はServed Cells To Modify IEに含まれてもよい。
【０１１６】
≪具体例６≫
第３の実施形態における具体例６について説明する。具体例６では、非ライセンス周波数のセル（e.g. Cell #3 on F3）におけるLTE-UをUE８に許可するか否かをMeNB６又はSeNB７において決定する手順について説明する。
【０１１７】
図１２は、図１０のStep S409 ”Decision on LTE-U for UE #2 in Cell #3” における、情報（X2 message）の交換を含むMeNB６及びSeNB７の動作の例を示す図である。MeNB６及びSeNB７の動作には2つのオプションがある。1つ目のオプション（Option 1）では、まずMeNB６がUE８から受信した非ライセンス周波数における端末測定の結果をSeNB７に送信する（Measurement results for unlicensed frequency、S601）。SeNB７は、当該端末測定の結果を基に、UE８に非ライセンス周波数のセル（Cell #3 on F3）におけるLTE-UをUE８に許可するか否かを決定する（Decision on LTE-U、S602）。SeNB７は、LTE-Uを行うことをUE８に許可すると決定した場合、対象とする非ライセンス周波数のセル（Cell #3）の無線リソース設定情報（e.g. RadioResourceConfigCommon, RadioResourceConfigDedicated）を生成し、MeNB６に送信する（Radio resource configuration for Cell #3、S603）。
【０１１８】
ここで、S601の端末測定の結果は、inter-node RRC containerのSCG-ConfigInfoに含めて送信されてもよい。さらに、これはX2APのSeNB MODIFICATION REQUEST messageにて送信されてもよい。また、S603の無線リソース設定情報は、inter-node RRC containerのSCG-Configurationに含めて送信されてもよい。さらに、これはX2APのSeNB MODIFICATION REQUEST ACKNOWLEDGE messageで送信されてもよいし、SeNB MODIFICATION REQUIRED messageで送信されてもよい。
【０１１９】
一方、2つ目のオプション（Option 2）では、非ライセンス周波数のセル（Cell #3 on F3）におけるLTE-UをUE #2に許可するか否かをMeNB６が端末測定の結果を基に決定する（Decision on LTE-U、S605）。MeNB６は、LTE-UをUE８に許可すると決定した場合、対象とされる非ライセンス周波数のセル（Cell #3）を帰属セル（serving cell. E.g. SCG）に追加する要求をSeNB７に送信する（Cell #3 addition request、S606）。当該要求におけるCell #3の情報は、当該非ライセンス周波数の情報（e.g. EARFCN）とCell #3のPCIで示されてもよいし、Cell #3の ECGIでもよいし、それらの組み合わせでもよい。SeNB７は、当該要求に応答して、Cell #3の無線リソース設定情報（e.g. RadioResourceConfigCommon, RadioResourceConfigDedicated）を生成し、MeNB６に送信する（Radio resource configuration for Cell #3、S607）。
【０１２０】
ここで、S606の要求はinter-node RRC containerのSCG-ConfigInfoに含めて送信されてもよい。さらに、これはX2APのSeNB ADDITION REQUEST message又はSeNB MODIFICATION REQUEST messageで送信されてもよい。また、S607はS603と同様に、SCG-Configurationに含めて送信されてもよい。さらに、これはX2APのSeNB ADDITION REQUEST ACKNOWLEDGE message又はSeNB MODIFICATION REQUEST ACKNOWLEDGE messageで送信されてもよい。
【０１２１】
最後に上述の実施形態に係る無線基地局（LTE-U eNB１、MeNB６、SeNB７）及び無線端末（UE３、UE８）の構成例について説明する。上述の実施形態で説明された無線基地局（LTE-U eNB１、MeNB６、SeNB７）の各々は、無線端末（UE３、UE８）と通信するためのトランシーバ、及び当該トランシーバに結合されたコントローラを含んでもよい。当該コントローラは、上述の実施形態で説明された無線基地局（LTE-U eNB１、MeNB６、SeNB７）に関する制御手順（例えば、非ライセンス周波数における端末測定を無線端末（UE３、UE８）において行うための制御）を実行する。
【０１２２】
上述の実施形態で説明された無線端末（UE３、UE８）の各々は、無線基地局（LTE-U eNB１、MeNB６、SeNB７）と通信するためのトランシーバ、及び当該トランシーバに結合されたコントローラを含んでもよい。当該コントローラは、上述の実施形態で説明された無線端末（UE３、UE８）に関する制御手順（例えば、端末測定の制御および端末測定の報告）を実行する。
【０１２３】
図１３及び図１４は、第１の実施形態に係る無線基地局１及び無線端末３の構成例を示すブロック図である。他の実施形態に係る無線機基地局及び無線端末も図１３及び図１４と同様の構成を有してもよい。図１３を参照すると、無線基地局１は、トランシーバ１０１及びコントローラ１０２を含む。トランシーバ１０１は、無線端末３を含む複数の無線端末と通信するよう構成されている。コントローラ１０２は、非ライセンス周波数における無線端末３による端末測定を実行するために、無線端末３への通知を送信し、無線端末３からの測定報告を受信するよう構成されている。
【０１２４】
図１４を参照すると、無線端末３は、トランシーバ３０１及びコントローラ３０２を含む。トランシーバ３０１は、無線基地局１と通信するよう構成されている。コントローラ３０２は、無線基地局１から受信した通知に従って、非ライセンス周波数における端末測定を制御し、測定報告を無線基地局１に送信するよう構成されている。
【０１２５】
上述の実施形態に係る無線基地局及び無線端末に実装されたコントローラの各々は、少なくとも１つのプロセッサ（e.g. マイクロプロセッサ、Micro Processing Unit（MPU）、Central Processing Unit（CPU））を含むコンピュータにプログラムを実行させることによって実現されてもよい。具体的には、シーケンス図等を用いて説明されたUE及びeNBに関するアルゴリズムをコンピュータに行わせるための命令群を含む１又は複数のプログラムをコンピュータに供給すればよい。
【０１２６】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１２７】
＜その他の実施形態＞
第１〜第３の実施形態では、非ライセンス周波数を下りユーザデータの送信の為に使用することを想定して説明した。しかし、これらの実施形態は、非ライセンス周波数を上りユーザデータ送信の為に使用する場合でも適用できることは言うまでもない。このとき、無線基地局（LTE-U eNB）１によって行っていた第１のセンシング又は第２のセンシングと同様の処理を無線端末（UE）３が行うようにしてもよい。これにより、LTE-Uの上り信号の送信が他のシステムへ過剰な干渉となることに起因して、LTE-Uシステムだけでなく他のシステムの特性も劣化することを回避することができる。
【０１２８】
また、第１〜第３の実施形態では、LAAのケースについて説明した。すなわち、第１及び第２の実施形態では、無線基地局（LTE-U eNB）１及び無線端末（UE）３がライセンス周波数のセルをプライマリセル（PCell）として使用すると共に、非ライセンス周波数のセルをセカンダリセル（SCell）として使用するキャリアグリゲーション（CA）について主に説明した。第３の実施形態では、MeNB６及びSeNB７がライセンス周波数を使用し、SeNB７が更に非ライセンス周波数を使用するDual Connectivity (DC)について主に説明した。しかしながら、既に述べたように、第１及び第２の実施形態では、無線基地局（LTE-U eNB）１は、ある共用周波数（例えばF3）をPCellとして使用し、狭義の非ライセンス周波数（例えばF2）又は他の共用周波数（例えばF４）をセカンダリセル（SCell）として使用するキャリアグリゲーション（CA）を行ってもよい。ここで、狭義の非ライセンス周波数は、いずれのオペレータにも割り当てられていない周波数（つまり、ライセンス周波数ではなく且つ共用周波数でもない周波数）を意味する。この場合、無線基地局（LTE-U eNB）１は、SCell（例えばF2またはF4）における端末測定の測定タイミング又は測定期間の少なくとも一方に関連付けられた制御シグナリングをPCell（例えばF3）において無線端末３に送信してもよい。同様に、第３の実施形態では、Dual Connectivity (DC)のために、MeNB６が共用周波数を使用し、SeNB７が共用周波数又は狭義の非ライセンス周波数を使用してもよい。
【０１２９】
また、上述の実施形態では、主にLTEシステムに関して説明を行った。しかしながら、既に述べたように、これらの実施形態は、LTEシステム以外の無線通信システム、例えば、3GPP UMTS、3GPP2 CDMA2000システム（1xRTT, HRPD）、GSM/GPRSシステム、又はWiMAXシステム等に適用されてもよい。尚、非ライセンス周波数におけるLTEの通信を行う機能を有する無線基地局（eNB）及びRRH/RREを無線基地局（LTE-U eNB）と呼んだ。他のシステムでも同様に、ライセンス周波数と同じ通信方式（機能）を用いて、非ライセンス周波数において通信を行うことが可能なネットワーク装置の導入が可能であり、それらを総称して無線局と呼ぶことができる。つまり、当該無線局は、LTEでは上述のように無線基地局（eNB）及びRRH/RREに相当し、UMTSでは基地局（NodeB: NB）及び基地局制御局（RNC）に相当し、更にCDMA2000システムでは基地局（BTS）及び基地局制御局（BSC）に相当する。さらに、特にDual Connectivity (DC)の例では、メイン基地局（LTEではMeNB）及びサブ基地局（LTEではSeNB）を含む基地局システムを無線局と呼ぶことができる。メイン基地局及びサブ基地局の各々は、無線通信ノードと呼ぶことができる。
【０１３０】
また、上述の実施形態において、端末測定の指示のための制御シグナリングが送信されるライセンス周波数のセル（つまり、CAでのPCell、又はDCの際にMeNBによって運用されるセル）と、端末測定の対象とされる非ライセンス周波数のセル（つまり、CAでのSCell、又はDCの際にSeNBによって運用されるセル）は、互いに異なるRadio Access Technology (RAT)を使用してもよい。例えば、ライセンス周波数のセルはLTE（E-UTRAN）のセルであってもよく、非ライセンス周波数のセルはUMTS（UTRAN）のセルであってもよい。
【０１３１】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【０１３２】
この出願は、２０１４年９月１２日に出願された日本出願特願２０１４−１８６９４９を基礎とする優先権を主張し、その開示の全てをここに取り込む。
【符号の説明】
【０１３３】
１、６、７  無線基地局
３、８  無線端末
４  無線LANアクセスポイント
５  無線LAN端末
１０１、３０１  トランシーバ
１０２、３０２  コントローラ
【図１Ａ】
2020043581.tif 000003
【図１Ｂ】
2020043581.tif 000004
【図２】
2020043581.tif 000005
【図３】
2020043581.tif 000006
【図４】
2020043581.tif 000007
【図５】
2020043581.tif 000008
【図６】
2020043581.tif 000009
【図７】
2020043581.tif 000010
【図８】
2020043581.tif 000011
【図９】
2020043581.tif 000012
【図１０】
2020043581.tif 000013
【図１１】
2020043581.tif 000014
【図１２】
2020043581.tif 000015
【図１３】
2020043581.tif 000016
【図１４】
2020043581.tif 000017
【図１５】
2020043581.tif 000018